(57)【要約】  本開示のある特定の態様は、物理ブロードキャストチャネル（ＰＢＣＨ）の複数の冗長バージョンが送信される送信時間間隔（ＴＴＩ）にわたって変化するタイミング情報を伝達するための方法および装置に関する。【選択図】図１０
2020519119.tif 000002
【特許請求の範囲】
【請求項１】
基地局によるワイヤレス通信のための方法であって、
物理ブロードキャストチャネル（ＰＢＣＨ）送信周期性とＰＢＣＨ送信時間間隔（ＴＴＩ）の持続時間とに基づいて、前記ＴＴＩの持続時間にわたって変化する、前記ＰＢＣＨにおいて伝達されるタイミングリファレンス番号の第１のセットの１つまたは複数のビットを決定することと、
前記ＴＴＩ内で、前記ＴＴＩの前記持続時間にわたって変化しない前記タイミングリファレンス番号の第２のセットのビットを含む、物理ブロードキャストチャネル（ＰＢＣＨ）の複数のバージョンを送信することと、
各ＰＢＣＨ送信とともに、前記タイミングリファレンス番号の前記第１のセットのビットのインジケーションを提供することと、
を備える方法。
【請求項２】
前記タイミングリファレンス番号は、システムフレーム番号（ＳＦＮ）、サブフレームレベルのインジケーション、シンボルレベルのタイミングのインジケーション、同期信号ブロック（ＳＳＢ）インデックス、またはハーフフレームのインジケーションのうちの少なくとも１つを備える、請求項１に記載の方法。
【請求項３】
異なる同期モードが、前記ＴＴＩの異なる持続時間を有する、請求項１に記載の方法。
【請求項４】
異なる同期モードは、スタンドアロンモードでの初期捕捉、ノンスタンドアロンモードでの初期捕捉、アイドルモードでの同期、バックホールネットワークにおいて別の基地局に提供される同期、または接続モードのうちの少なくとも２つを備える、請求項３に記載の方法。
【請求項５】
前記インジケーションは、同期信号、マスタ情報ブロック（ＭＩＢ）、または復調基準信号（ＤＭＲＳ）のうちの少なくとも１つを介して提供される、請求項１に記載の方法。
【請求項６】
前記インジケーションは、前記ＰＢＣＨ送信の冗長バージョンまたはスクランブリングシーケンスのうちの少なくとも１つを介して提供され、
前記第１のセットのビットの異なる値は、異なる冗長バージョンにマッピングされる、
請求項１に記載の方法。
【請求項７】
前記インジケーションは、
同期信号、マスタ情報ブロック（ＭＩＢ）、復調基準信号（ＤＭＲＳ）、スクランブリングシーケンス、または前記ＰＢＣＨの異なる冗長バージョンへの前記第１のセットのビットの異なる値のマッピング
のうちの少なくとも２つを介して提供される、請求項１に記載の方法。
【請求項８】
前記ＤＭＲＳと前記スクランブリングシーケンスの両方は、同期信号ブロック（ＳＳＢ）インデックスの一部分を搬送する、請求項７に記載の方法。
【請求項９】
第１のセットのＰＢＣＨ  ＴＴＩについては、前記ＤＭＲＳおよびスクランブリングシーケンスの設計は、各ＰＢＣＨ  ＴＴＩに対して同じであり、
第２のセットのＰＢＣＨ  ＴＴＩについては、前記ＤＭＲＳおよびスクランブリングシーケンスの前記設計は、ＰＢＣＨ  ＴＴＩ依存である、
請求項７に記載の方法。
【請求項１０】
前記ＤＭＲＳと前記ＭＩＢの両方が、ハーフフレームのインジケーションの一部分を搬送する、請求項７に記載の方法。
【請求項１１】
ワイヤレスデバイスに、前記ＰＢＣＨ周期性および／またはＴＴＩ持続時間についての情報を伝達することをさらに備える、請求項１に記載の方法。
【請求項１２】
前記情報は、マスタ情報ブロック（ＭＩＢ）、システム情報ブロック（ＳＩＢ）、または無線リソース制御（ＲＲＣ）シグナリングのうちの少なくとも１つを介して伝達される、請求項１１に記載の方法。
【請求項１３】
前記情報は、第１の無線アクセス技術（ＲＡＴ）ネットワークを介して伝達され、
前記ＰＢＣＨは、第２のＲＡＴネットワークを介して送信される、
請求項１１に記載の方法。
【請求項１４】
ワイヤレスデバイスによるワイヤレス通信のための方法であって、
物理ブロードキャストチャネル（ＰＢＣＨ）送信周期性とＰＢＣＨ送信時間間隔（ＴＴＩ）の持続時間とに基づいて、前記ＴＴＩの持続時間にわたって変化するタイミングリファレンスの第１のセットの１つまたは複数のビットを決定することと、
前記ＴＴＩ内の物理ブロードキャストチャネル（ＰＢＣＨ）の複数のバージョンのうちの少なくとも１つを復号することと、ここにおいて、前記ＴＴＩの前記持続時間にわたって変化しない前記タイミングリファレンス番号の第２のセットのビットを含み、
各復号されたＰＢＣＨ送信とともに、前記タイミングリファレンス番号の前記第１のセットのビットのインジケーションを取得することと、
を備える方法。
【請求項１５】
前記タイミングリファレンス番号は、システムフレーム番号（ＳＦＮ）、サブフレームレベルのインジケーション、シンボルレベルのタイミングのインジケーション、同期信号ブロック（ＳＳＢ）インデックス、またはハーフフレームのインジケーションのうちの少なくとも１つを備える、請求項１４に記載の方法。
【請求項１６】
異なる同期モードが、前記ＴＴＩの異なる持続時間を有する、請求項１４に記載の方法。
【請求項１７】
異なる同期モードは、スタンドアロンモードでの初期捕捉、ノンスタンドアロンモードでの初期捕捉、アイドルモードでの同期、バックホールネットワークにおいて別の基地局に提供される同期、または接続モードのうちの少なくとも２つを備える、請求項１６に記載の方法。
【請求項１８】
前記インジケーションは、同期信号、マスタ情報ブロック（ＭＩＢ）、または復調基準信号（ＤＭＲＳ）のうちの少なくとも１つを介して提供される、請求項１４に記載の方法。
【請求項１９】
前記インジケーションは、前記ＰＢＣＨ送信の冗長バージョンまたはスクランブリングシーケンスのうちの少なくとも１つを介して提供され、
前記第１のセットのビットの異なる値は、異なる冗長バージョンにマッピングされる、
請求項１４に記載の方法。
【請求項２０】
前記インジケーションは、
同期信号、マスタ情報ブロック（ＭＩＢ）、復調基準信号（ＤＭＲＳ）、スクランブリングシーケンス、または前記ＰＢＣＨの異なる冗長バージョンへの前記第１のセットのビットの異なる値のマッピング
のうちの少なくとも２つを介して提供される、請求項１４に記載の方法。
【請求項２１】
前記ＤＭＲＳと前記スクランブリングシーケンスの両方は、同期信号ブロック（ＳＳＢ）インデックスの一部分を搬送する、請求項２０に記載の方法。
【請求項２２】
第１のセットのＰＢＣＨ  ＴＴＩについては、前記ＤＭＲＳおよびスクランブリングシーケンスの設計は、各ＰＢＣＨ  ＴＴＩに対して同じであり、
第２のセットのＰＢＣＨ  ＴＴＩについては、前記ＤＭＲＳおよびスクランブリングシーケンスの前記設計は、ＰＢＣＨ  ＴＴＩ依存である、
請求項２０に記載の方法。
【請求項２３】
前記ＤＭＲＳと前記ＭＩＢの両方が、ハーフフレームのインジケーションの一部分を搬送する、請求項２０に記載の方法。
【請求項２４】
別のワイヤレスデバイスから、前記ＰＢＣＨ周期性および／またはＴＴＩ持続時間についての情報を取得することをさらに備える、請求項１４に記載の方法。
【請求項２５】
前記情報は、マスタ情報ブロック（ＭＩＢ）、システム情報ブロック（ＳＩＢ）、または無線リソース制御（ＲＲＣ）シグナリングのうちの少なくとも１つを介して取得される、請求項２４に記載の方法。
【請求項２６】
前記情報は、第１の基地局から取得され、
前記ＰＢＣＨは、第２の基地局によって送信される、
請求項２４に記載の方法。
【請求項２７】
前記情報は、第１の無線アクセス技術（ＲＡＴ）ネットワークを介して取得され、
前記ＰＢＣＨは、第２のＲＡＴネットワークを介して送信される、
請求項２４に記載の方法。
【請求項２８】
復調基準信号（ＤＭＲＳ）の複数のインスタンスの検出を通じて、前記ＰＢＣＨ  ＴＴＩの前記周期性についての情報を少なくとも部分的に推測することと、
後続のＰＢＣＨ処理のために、前記推測された情報を使用することと、
をさらに備える、請求項１４に記載の方法。
【請求項２９】
基地局によるワイヤレス通信のための装置であって、
物理ブロードキャストチャネル（ＰＢＣＨ）送信周期性とＰＢＣＨ送信時間間隔（ＴＴＩ）の持続時間とに基づいて、前記ＴＴＩの持続時間にわたって変化する、前記ＰＢＣＨにおいて伝達されるタイミングリファレンス番号の第１のセットの１つまたは複数のビットを決定するための手段と、
前記ＴＴＩ内で、前記ＴＴＩの前記持続時間にわたって変化しない前記タイミングリファレンス番号の第２のセットのビットを含む、物理ブロードキャストチャネル（ＰＢＣＨ）の複数のバージョンを送信するための手段と、
各ＰＢＣＨ送信とともに、前記タイミングリファレンス番号の前記第１のセットのビットのインジケーションを提供するための手段と、
を備える装置。
【請求項３０】
ワイヤレスデバイスによるワイヤレス通信のための装置であって、
物理ブロードキャストチャネル（ＰＢＣＨ）送信周期性とＰＢＣＨ送信時間間隔（ＴＴＩ）の持続時間とに基づいて、前記ＴＴＩの持続時間にわたって変化するタイミングリファレンスの第１のセットの１つまたは複数のビットを決定するための手段と、
前記ＴＴＩ内の物理ブロードキャストチャネル（ＰＢＣＨ）の複数のバージョンのうちの少なくとも１つを復号するための手段と、ここにおいて、前記ＴＴＩの前記持続時間にわたって変化しない前記タイミングリファレンス番号の第２のセットのビットを含み、
各復号されたＰＢＣＨ送信とともに、前記タイミングリファレンス番号の前記第１のセットのビットのインジケーションを取得するための手段と、
を備える装置。
【請求項３１】
基地局によるワイヤレス通信のための装置であって、
物理ブロードキャストチャネル（ＰＢＣＨ）送信周期性とＰＢＣＨ送信時間間隔（ＴＴＩ）の持続時間とに基づいて、前記ＴＴＩの持続時間にわたって変化する、前記ＰＢＣＨにおいて伝達されるタイミングリファレンス番号の第１のセットの１つまたは複数のビットを決定するように構成され、かつメモリと結合された少なくとも１つのプロセッサと、
前記ＴＴＩ内で、前記ＴＴＩの前記持続時間にわたって変化しない前記タイミングリファレンス番号の第２のセットのビットを含む、物理ブロードキャストチャネル（ＰＢＣＨ）の複数のバージョンを送信することと、各ＰＢＣＨ送信とともに、前記タイミングリファレンス番号の前記第１のセットのビットのインジケーションを提供することと、を行うように構成されたトランシーバと、
を備える装置。
【請求項３２】
ワイヤレスデバイスによるワイヤレス通信のための装置であって、
物理ブロードキャストチャネル（ＰＢＣＨ）送信周期性とＰＢＣＨ送信時間間隔（ＴＴＩ）の持続時間とに基づいて、前記ＴＴＩの持続時間にわたって変化するタイミングリファレンスの第１のセットの１つまたは複数のビットを決定するように構成され、かつメモリに結合された少なくとも１つのプロセッサと、
前記ＴＴＩ内の物理ブロードキャストチャネル（ＰＢＣＨ）の複数のバージョンのうちの少なくとも１つを復号することと、ここにおいて、前記ＴＴＩの前記持続時間にわたって変化しない前記タイミングリファレンス番号の第２のセットのビットを含み、各復号されたＰＢＣＨ送信とともに、前記タイミングリファレンス番号の前記第１のセットのビットのインジケーションを取得することと、を行うように構成された復号器と、
を備える装置。
【発明の詳細な説明】
【関連出願の相互参照】
【０００１】
[0001]本特許出願は、２０１７年５月４日に出願された米国仮特許出願第６２／５０１，５３９号および２０１７年６月２９日に出願された米国仮特許出願第６２／５２６，９６６号、ならびに２０１８年５月１日に出願された米国特許出願第１５／９６８，５９８号の利益を主張し、これら３つは全て、その全体がここでの参照により本明細書に明確に組み込まれている。
【技術分野】
【０００２】
[0002]本開示は、一般にワイヤレス通信システムに関し、より詳細には、タイミング情報を伝達するための方法および装置に関する。
【背景技術】
【０００３】
[0003]ワイヤレス通信システムは、電話通信、ビデオ、データ、メッセージング、およびブロードキャストなどの様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を用い得る。このような多元接続技術の例は、ロングタームエボリューション（ＬＴＥ（登録商標））システム、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]いくつかの例では、ワイヤレス多元接続通信システムは、いくつかの基地局を含み得、各々が、別名ユーザ機器（ＵＥ）として知られる複数の通信デバイスのための通信を同時にサポートする。ＬＴＥまたはＬＴＥ−Ａネットワークでは、１つまたは複数の基地局のセットが、ｅノードＢ（ｅＮＢ）を定義し得る。他の例では（例えば、次世代または第５世代（５Ｇ）ネットワークでは）、ワイヤレス多元接続通信システムは、いくつかの中央ユニット（ＣＵ：central units）（例えば、集約ノード（ＣＮ）、アクセスノードコントローラ（ＡＮＣ）、等）と通信状態にあるいくつかの分散ユニット（ＤＵ：distributed units）（例えば、エッジユニット（ＥＵ）、エッジノード（ＥＮ）、無線ヘッド（ＲＨ：radio heads）、スマート無線ヘッド（ＳＲＨ：smart radio heads）、送受信ポイント（ＴＲＰ）、等）を含み得、ここで、中央ユニットと通信状態にある１つまたは複数の分散ユニットのセットが、アクセスノード（例えば、新無線基地局（ＮＲ  ＢＳ）、新無線ノードＢ（ＮＲ  ＮＢ）、ネットワークノード、５Ｇ  ＮＢ、ｅＮＢ、等）を定義し得る。基地局またはＤＵは、（例えば、基地局から、またはＵＥへの送信のための）ダウンリンクチャネルおよび（例えば、ＵＥから基地局または分散ユニットへの送信のための）アップリンクチャネル上で、ＵＥのセットと通信し得る。
【０００５】
[0005]これらの多元接続技術は、異なるワイヤレスデバイスが都市、国家、地域、さらには地球レベルで通信することを可能にする共通プロトコルを提供するために、様々な電気通信規格において採用されてきた。新興の電気通信規格の一例が、新無線（ＮＲ）、例えば、５Ｇ無線アクセスである。ＮＲは、一般に、第３世代パートナーシッププロジェクト（３ＧＰＰ（登録商標））によって公表されたＬＴＥモバイル規格への拡張セットを指す。それは、スペクトル効率を改善すること、コストを下げること、サービスを改善すること、新しいスペクトルを利用すること、およびダウンリンク（ＤＬ）上とアップリンク（ＵＬ）上でサイクリックプレフィックス（ＣＰ）を用いるＯＦＤＭＡを使用して他のオープン規格とより良好に統合することによって、モバイルブロードバンドインターネットアクセスをより良くサポートし、ならびにビームフォーミング、多入力多出力（ＭＩＭＯ）アンテナ技術、およびキャリアアグリゲーションをサポートするように設計されている。
【０００６】
[0006]しかしながら、モバイルブロードバンドアクセスに対する需要が増大し続けるにつれて、ＮＲ技術におけるさらなる改善に対する要望が存在する。好ましくは、これらの改善は、他の多重アクセス（multi-access）技術、およびこれらの技術を採用する電気通信規格に適用可能であるべきである。
【発明の概要】
【０００７】
[0007]本開示のシステム、方法、およびデバイスは、いくつかの態様をそれぞれ有し、それらのうちの何れも、その望ましい属性を単独で担うものではない。以下に続く特許請求の範囲によって示される本開示の範囲を限定することなく、ここでいくつかの特徴が簡潔に説明される。この説明を考慮した後、また、特に「詳細な説明」と題するセクションを読んだ後、当業者であれば、本開示の特徴が、ワイヤレスネットワークにおけるアクセスポイントと局との間の改善された通信を含む利点をどのようにもたらすかを理解するであろう。
【０００８】
[0008]ある特定の態様は、本明細書で説明されるように、異なるモードでの復調基準信号（ＤＭＲＳ）および物理ブロードキャストチャネル（ＰＢＣＨ）を通じてタイミングインジケーションを伝達するための技法を提供する。
【０００９】
[0009]ある特定の態様は、基地局（ＢＳ）によるワイヤレス通信のための方法を提供する。方法は、概して、物理ブロードキャストチャネル（ＰＢＣＨ）送信周期性とＰＢＣＨ送信時間間隔（ＴＴＩ）の持続時間とに基づいて、ＴＴＩの持続時間にわたって変化する、ＰＢＣＨにおいて伝達されるタイミングリファレンス番号の、第１のセットの１つまたは複数のビットを決定することと、ＴＴＩ内で物理ブロードキャストチャネル（ＰＢＣＨ）の複数のバージョンを送信することと、ここにおいて、ＰＢＣＨの各バージョンは、ＴＴＩの持続時間にわたって変化しないタイミングリファレンス番号の、第２のセットのビットを含む同じコンテンツを有し、各ＰＢＣＨ送信とともに、タイミングリファレンス番号の、第１のセットのビットのインジケーションを提供することとを含む。
【００１０】
[0010]ある特定の態様は、ユーザ機器（ＵＥ）によるワイヤレス通信のための方法を提供する。方法は、概して、物理ブロードキャストチャネル（ＰＢＣＨ）送信周期性とＰＢＣＨ送信時間間隔（ＴＴＩ）の持続時間とに基づいて、ＴＴＩの持続時間にわたって変化する、ＰＢＣＨにおいて伝達されるタイミングリファレンス番号の、第１のセットの１つまたは複数のビットを決定することと、ＴＴＩ内の物理ブロードキャストチャネル（ＰＢＣＨ）の複数のバージョンのうちの少なくとも１つを復号することと、ここにおいて、ＰＢＣＨの各バージョンは、ＴＴＩの持続時間にわたって変化しないタイミングリファレンス番号の、第２のセットのビットを含む同じコンテンツを有し、各復号されたＰＢＣＨ送信とともに、タイミングリファレンス番号の、第１のセットのビットのインジケーションを取得することとを含む。
【００１１】
[0011]ある特定の態様は、基地局によるワイヤレス通信のための装置を提供する。装置は、概して、物理ブロードキャストチャネル（ＰＢＣＨ）送信周期性とＰＢＣＨ送信時間間隔（ＴＴＩ）の持続時間とに基づいて、ＴＴＩの持続時間にわたって変化する、ＰＢＣＨにおいて伝達されるタイミングリファレンス番号の第１のセットの１つまたは複数のビットを決定するための手段と、ＴＴＩ内で、ＴＴＩの持続時間にわたって変化しないタイミングリファレンス番号の第２のセットのビットを含む、物理ブロードキャストチャネル（ＰＢＣＨ）の複数のバージョンを送信するための手段と、各ＰＢＣＨ送信とともに、タイミングリファレンス番号の第１のセットのビットのインジケーションを提供するための手段と、を含む。
【００１２】
[0012]ある特定の態様は、ワイヤレスデバイスによるワイヤレス通信のための装置を提供する。装置は、概して、物理ブロードキャストチャネル（ＰＢＣＨ）送信周期性とＰＢＣＨ送信時間間隔（ＴＴＩ）の持続時間とに基づいて、ＴＴＩの持続時間にわたって変化するタイミングリファレンスの第１のセットの１つまたは複数のビットを決定するための手段と、ＴＴＩ内の物理ブロードキャストチャネル（ＰＢＣＨ）の複数のバージョンのうちの少なくとも１つを復号するための手段と、ここにおいて、ＴＴＩの持続時間にわたって変化しないタイミングリファレンス番号の第２のセットのビットを含み、各復号されたＰＢＣＨ送信とともに、タイミングリファレンス番号の第１のセットのビットのインジケーションを取得するための手段と、を含む。
【００１３】
[0013]ある特定の態様は、ワイヤレスデバイスによるワイヤレス通信のための装置を提供する。装置は、概して、メモリと結合されかつ物理ブロードキャストチャネル（ＰＢＣＨ）送信周期性とＰＢＣＨ送信時間間隔（ＴＴＩ）の持続時間とに基づいて、ＴＴＩの持続時間にわたって変化する、ＰＢＣＨにおいて伝達されるタイミングリファレンス番号の第１のセットの１つまたは複数のビットを決定するように構成された少なくとも１つのプロセッサと、ＴＴＩ内で、ＴＴＩの持続時間にわたって変化しないタイミングリファレンス番号の第２のセットのビットを含む、物理ブロードキャストチャネル（ＰＢＣＨ）の複数のバージョンを送信することと、各ＰＢＣＨ送信とともに、タイミングリファレンス番号の第１のセットのビットのインジケーションを提供することとを行うように構成されたトランシーバとを含む。
【００１４】
[0014]ある特定の態様は、ワイヤレスデバイスによるワイヤレス通信のための装置を提供する。装置は、概して、メモリと結合されかつ物理ブロードキャストチャネル（ＰＢＣＨ）送信周期性とＰＢＣＨ送信時間間隔（ＴＴＩ）の持続時間とに基づいて、ＴＴＩの持続時間にわたって変化するタイミングリファレンスの第１のセットの１つまたは複数のビットを決定するように構成された少なくとも１つのプロセッサと、ＴＴＩ内の物理ブロードキャストチャネル（ＰＢＣＨ）の複数のバージョンのうちの少なくとも１つを復号することと、ここにおいて、ＴＴＩの持続時間にわたって変化しないタイミングリファレンス番号の第２のセットのビットを含み、各復号されたＰＢＣＨ送信とともに、タイミングリファレンス番号の第１のセットのビットのインジケーションを取得することとを行うように構成された復号器とを含む。
【００１５】
[0015]態様は、概して、添付の図面によって例示されるような、およびそれらを参照して本明細書で実質的に説明されるような、方法、装置、システム、コンピュータ可読媒体、および処理システムを含む。
【００１６】
[0016]前述および関連する目的の達成のために、１つまたは複数の態様が、以下で十分に説明されかつ特許請求の範囲において具体的に示される特徴を備える。以下の説明および添付の図面は、１つまたは複数の態様のある特定の例示的な特徴を詳細に示す。しかしながら、これらの特徴は、様々な態様の原理が用いられ得る様々な方法のうちのごく一部を示すものであり、本説明は、全てのこのような態様およびそれらの同等物を含むように意図される。
【００１７】
[0017]本開示の上記の特徴が詳細に理解され得るように、上記では簡潔に概要を述べたそのより詳細な説明が、態様を参照することによって得られ得、そのいくつかは、添付の図面に例示されている。しかしながら、添付の図面は、本開示のある特定の典型的な態様のみを例示しており、したがって、その範囲を限定するものと見なされるべきではないことに留意されたい。というのも、この説明は、他の同様に有効な態様にも当てはまり得るからである。
【図面の簡単な説明】
【００１８】
【図１】[0018]図１は、本開示のある特定の態様による、例となる電気通信システムを概念的に例示するブロック図である。
【図２】[0019]図２は、本開示のある特定の態様による、分散型ＲＡＮの例となる論理アーキテクチャを例示するブロック図である。
【図３】[0020]図３は、本開示のある特定の態様による、分散型ＲＡＮの例となる物理アーキテクチャを例示する図である。
【図４】[0021]図４は、本開示のある特定の態様による、例となるＢＳおよびユーザ機器（ＵＥ）の設計を概念的に例示するブロック図である。
【図５】[0022]図５は、本開示のある特定の態様による、通信プロトコルスタックをインプリメントするための例を示す図である。
【図６】[0023]図６は、本開示のある特定の態様による、ダウンリンクセントリック（ＤＬセントリック）サブフレームの例を例示する。
【図６Ａ】[0024]図６Ａは、本開示のある特定の態様による、アップリンクセントリック（ＵＬセントリック）サブフレームの例を例示する。
【図７】[0025]図７は、例となる物理ブロードキャストチャネル（ＰＢＣＨ）送信時間間隔（ＴＴＩ）および送信周期性を例示する。
【図８】[0026]図８は、本開示の態様による、新無線電気通信システムのための同期信号の例となる送信タイムラインである。
【図９】[0027]図９は、本開示の態様による、例示的な同期信号（ＳＳ：sync signal）ブロック（ＳＳＢ）についての例となるリソースマッピングを例示する。
【図１０】[0028]図１０は、本開示のある特定の態様による、基地局によるワイヤレス通信のための例となる動作を例示する。
【図１１】[0029]図１１は、本開示のある特定の態様による、ユーザ機器（ＵＥ）によるワイヤレス通信のための例となる動作を例示する。
【図１２】[0030]図１２は、別の例となる物理ブロードキャストチャネル（ＰＢＣＨ）送信時間間隔（ＴＴＩ）および送信周期性を例示する。
【図１３】[0031]図１３は、図１２の構成についてタイミング情報がどのように伝達され得るかを例示する。
【図１４】[0032]図１４は、さらに別の例となる物理ブロードキャストチャネル（ＰＢＣＨ）送信時間間隔（ＴＴＩ）および送信周期性を例示する。
【図１５】[0033]図１５は、図１４の構成についてタイミング情報がどのように伝達され得るかを例示する。
【詳細な説明】
【００１９】
[0034]理解を容易にするために、可能な場合、図面に共通する同一の要素を指すために、同一の参照番号が使用されている。一態様において開示される要素は、具体的な記載がなくとも、他の態様に対して有益に利用され得ることが企図される。
【００２０】
[0035]本開示の態様は、例えば、ＰＢＣＨの冗長バージョンが送信される送信時間間隔内で、変化し得るタイミング情報を伝達するための方法および装置に関する。
【００２１】
[0036]本開示の態様は、新無線（ＮＲ：new radio）（新無線アクセス技術または５Ｇ技術）のための装置、方法、処理システム、およびコンピュータ可読媒体を提供する。
【００２２】
[0037]ＮＲは、広帯域幅（例えば、８０ＭＨｚ以上）を対象とした拡張型モバイルブロードバンド（ｅＭＢＢ）、高いキャリア周波数（例えば、６０ＧＨｚ）を対象としたミリメートル波（ｍｍＷ）、後方互換性のないＭＴＣ技法を対象としたマッシブＭＴＣ（ｍＭＴＣ）、および／または超高信頼性低レイテンシ通信（ＵＲＬＬＣ：ultra-reliable low latency communications）を対象としたミッションクリティカルなどの、様々なワイヤレス通信サービスをサポートし得る。これらのサービスは、レイテンシおよび信頼性の要件を含み得る。これらのサービスはまた、それぞれのサービス品質（ＱｏＳ）要件を満たすために、異なる送信時間間隔（ＴＴＩ）を有し得る。加えて、これらのサービスは、同じサブフレームにおいて共存し得る。
【００２３】
[0038]以下の説明は、例を提供しており、特許請求の範囲に示される範囲、適用性、または例を限定するものではない。変更が、本開示の範囲から逸脱することなく、説明される要素の機能および配置（arrangement）においてなされ得る。様々な例は、適宜、様々なプロシージャまたは構成要素を省略、代用、または追加し得る。例えば、説明される方法は、説明されるものとは異なる順序で実行され得、また、様々なステップが、追加、省略、または組み合わされ得る。また、いくつかの例に関して説明される特徴は、いくつかの他の例において組み合わされ得る。例えば、本明細書に示される任意の数の態様を使用して、装置がインプリメントされ得、または方法が実施され得る。加えて、本開示の範囲は、本明細書に示される本開示の様々な態様に加えて、またはそれ以外の、他の構造、機能、または構造と機能を使用して実施されるそのような装置または方法をカバーするように意図される。本明細書で開示される本開示の任意の態様が、請求項の１つまたは複数の要素によって具現化され得ることが理解されるべきである。「例示的（exemplary）」という用語は、本明細書で「例、事例、または例示を提供する」という意味で使用される。本明細書で「例示的」と説明される任意の態様は、必ずしも他の態様よりも好ましいまたは有利であると解釈されるべきでない。
【００２４】
[0039]本明細書で説明される技法は、ＬＴＥ、ＣＤＭＡ、ＴＤＭＡ、ＦＤＭＡ、ＯＦＤＭＡ、ＳＣ−ＦＤＭＡ、および他のネットワークなどの、様々なワイヤレス通信ネットワークのために使用され得る。「ネットワーク」および「システム」という用語は、しばしば交換可能に用いられる。ＣＤＭＡネットワークは、ユニバーサル地上無線アクセス（ＵＴＲＡ）、ｃｄｍａ２０００、等のような無線技術をインプリメントし得る。ＵＴＲＡは、広帯域ＣＤＭＡ（ＷＣＤＭＡ（登録商標））およびＣＤＭＡの他の変形を含む。ｃｄｍａ２０００は、ＩＳ−２０００、ＩＳ−９５およびＩＳ−８５６規格をカバーする。ＴＤＭＡネットワークは、モバイル通信のためのグローバルシステム（ＧＳＭ）（登録商標）などの無線技術をインプリメントし得る。ＯＦＤＭＡネットワークは、ＮＲ（例えば、５Ｇ  ＲＡ）、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭＡ、等のような無線技術をインプリメントし得る。ＵＴＲＡおよびＥ−ＵＴＲＡは、ユニバーサルモバイルテレコミュニケーションシステム（ＵＭＴＳ）の一部である。ＮＲは、５Ｇ技術フォーラム（５ＧＴＦ：5G Technology Forum）とともに開発中の新興のワイヤレス通信技術である。３ＧＰＰロングタームエボリューション（ＬＴＥ）およびＬＴＥ−アドバンスト（ＬＴＥ−Ａ）は、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）という名称の団体からの文書に説明されている。ｃｄｍａ２０００およびＵＭＢは、「第３世代パートナーシッププロジェクト２」（３ＧＰＰ２）という名称の団体からの文書に説明されている。本明細書で説明される技法は、上述されたワイヤレスネットワークおよび無線技術のみならず、他のワイヤレスネットワークおよび無線技術のためにも使用され得る。明確にするために、本明細書では、３Ｇおよび／または４Ｇワイヤレス技術に一般に関連付けられた専門用語を使用して態様が説明され得る一方で、本開示の態様は、ＮＲ技術を含む、５Ｇ以降などの他の世代ベースの通信システムに適用され得る。
【００２５】
［例となるワイヤレス通信システム］
[0040]図１は、本開示の態様が実行され得る、新無線（ＮＲ）または５Ｇネットワークなどの、例となるワイヤレスネットワーク１００を例示する。
【００２６】
[0041]図１に例示されるように、ワイヤレスネットワーク１００は、いくつかのＢＳ１１０と他のネットワークエンティティとを含み得る。ＢＳは、ＵＥと通信する局であり得る。各ＢＳ１１０は、特定の地理的エリアに通信カバレッジを提供し得る。３ＧＰＰでは、「セル」という用語は、この用語が使用されるコンテキストに応じて、このカバレッジエリアにサービス提供するノードＢおよび／またはノードＢサブシステムのカバレッジエリアを指し得る。ＮＲシステムでは、「セル」という用語と、ｅＮＢ、ノードＢ、５Ｇ  ＮＢ、ＡＰ、ＮＲ  ＢＳ、ＮＲ  ＢＳ、またはＴＲＰとは、交換可能であり得る。いくつかの例では、セルは、必ずしも固定的ではなく、セルの地理的エリアは、移動基地局のロケーションに従って移動し得る。いくつかの例では、基地局は、任意の好適なトランスポートネットワークを使用して、直接的な物理接続、仮想ネットワーク、または同様のものなどの、様々なタイプのバックホールインターフェースを通じて、ワイヤレスネットワーク１００において互いに、および／または１つまたは複数の他の基地局またはネットワークノード（図示せず）に相互接続され得る。
【００２７】
[0042]一般に、任意の数のワイヤレスネットワークが、所与の地理的エリアにおいて展開され得る。各ワイヤレスネットワークは、特定の無線アクセス技術（ＲＡＴ）をサポートし得、１つまたは複数の周波数上で動作し得る。ＲＡＴは、無線技術、エアインターフェース、等と呼ばれることもある。周波数は、キャリア、周波数チャネル、等と呼ばれることもある。各周波数は、異なるＲＡＴのワイヤレスネットワーク間の干渉を回避するために、所与の地理的エリアにおいて単一のＲＡＴをサポートし得る。いくつかのケースでは、ＮＲまたは５Ｇ  ＲＡＴネットワークが展開され得る。
【００２８】
[0043]ＢＳは、マクロセル、ピコセル、フェムトセル、および／または他のタイプのセルに通信カバレッジを提供し得る。マクロセルは、比較的大きい地理的エリア（例えば、半径数キロメートル）をカバーし得、サービスに加入しているＵＥによる無制限のアクセスを可能にし得る。ピコセルは、比較的小さい地理的エリアをカバーし得、サービスに加入しているＵＥによる無制限のアクセスを可能にし得る。フェムトセルは、比較的小さい地理的エリア（例えば、自宅）をカバーし得、フェムトセルとのアソシエーション（association）を有するＵＥ（例えば、限定加入者グループ（ＣＳＧ）中のＵＥ、自宅内のユーザのためのＵＥ、等）による制限付きのアクセスを可能にし得る。マクロセルのためのＢＳは、マクロＢＳと呼ばれ得る。ピコセルのためのＢＳは、ピコＢＳと呼ばれ得る。フェムトセルのためのＢＳは、フェムトＢＳまたはホームＢＳと呼ばれ得る。図１に示される例では、ＢＳ１１０ａ、１１０ｂおよび１１０ｃは、それぞれ、マクロセル１０２ａ、１０２ｂおよび１０２ｃのためのマクロＢＳであり得る。ＢＳ１１０ｘは、ピコセル１０２ｘのためのピコＢＳであり得る。ＢＳ１１０ｙおよび１１０ｚは、それぞれ、フェムトセル１０２ｙおよび１０２ｚのためのフェムトＢＳであり得る。ＢＳは、１つまたは複数（例えば、３つ）のセルをサポートし得る。
【００２９】
[0044]ワイヤレスネットワーク１００はまた、中継局を含み得る。中継局は、アップストリーム局（例えば、ＢＳまたはＵＥ）からデータおよび／または他の情報の送信を受信し、ダウンストリーム局（例えば、ＵＥまたはＢＳ）にデータおよび／または他の情報の送信を送る局である。中継局はまた、他のＵＥのための送信を中継するＵＥであり得る。図１に示される例では、中継局１１０ｒは、ＢＳ１１０ａとＵＥ１２０ｒの間の通信を容易にするために、ＢＳ１１０ａおよびＵＥ１２０ｒと通信し得る。中継局は、リレーＢＳ、リレー、等と呼ばれることもある。
【００３０】
[0045]ワイヤレスネットワーク１００は、異なるタイプのＢＳ、例えば、マクロＢＳ、ピコＢＳ、フェムトＢＳ、リレー、等を含む異種ネットワークであり得る。これらの異なるタイプのＢＳは、ワイヤレスネットワーク１００において、異なる送信電力レベル、異なるカバレッジエリア、および干渉に対する異なる影響を有し得る。例えば、マクロＢＳは、高い送信電力レベル（例えば、２０ワット）を有し得、一方、ピコＢＳ、フェムトＢＳ、およびリレーは、より低い送信電力レベル（例えば、１ワット）を有し得る。
【００３１】
[0046]ワイヤレスネットワーク１００は、同期動作または非同期動作をサポートし得る。同期動作の場合、複数のＢＳは、同様のフレームタイミングを有し得、異なるＢＳからの送信は、ほぼ時間的に揃えられ得る。非同期動作の場合、複数のＢＳは、異なるフレームタイミングを有し得、異なるＢＳからの送信は、時間的に揃えられていない場合がある。本明細書で説明される技法は、同期動作と非同期動作の両方のために使用され得る。
【００３２】
[0047]ネットワークコントローラ１３０が、ＢＳのセットに結合され、これらのＢＳに対して調整および制御を提供し得る。ネットワークコントローラ１３０は、バックホールを介してＢＳ１１０と通信し得る。ＢＳ１１０はまた、例えば、ワイヤレスまたはワイヤラインバックホールを介して直接的または間接的に、互いに通信し得る。
【００３３】
[0048]ＵＥ１２０（例えば、１２０ｘ、１２０ｙ、等）は、ワイヤレスネットワーク１００全体にわたって分散され得、各ＵＥは、固定またはモバイルであり得る。ＵＥは、移動局、端末、アクセス端末、加入者ユニット、局、カスタマ構内設備（ＣＰＥ：Customer Premises Equipment）、セルラフォン、スマートフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲームデバイス、ネットブック、スマートブック、ウルトラブック、医療デバイスまたは医療機器、生体センサ／デバイス、スマートウォッチ、スマート衣料、スマート眼鏡、スマートリストバンド、スマートジュエリー（例えば、スマートリング、スマートブレスレット、等）などのウェアラブルデバイス、娯楽デバイス（例えば、音楽デバイス、ビデオデバイス、衛星ラジオ、等）、車両コンポーネントまたはセンサ、スマートメータ／センサ、工業生産機器、全地球測位システムデバイス、またはワイヤレスまたはワイヤード媒体を介して通信するように構成されたその他任意の好適なデバイスとして呼ばれることもある。いくつかのＵＥは、発展型もしくはマシンタイプ通信（ＭＴＣ）デバイスまたは発展型ＭＴＣ（ｅＭＴＣ）デバイスと見なされ得る。ＭＴＣ  ＵＥおよびｅＭＴＣ  ＵＥは、ＢＳ、別のデバイス（例えば、遠隔デバイス）、または何らかの他のエンティティと通信し得る、例えば、ロボット、ドローン、遠隔デバイス、センサ、メータ、モニタ、ロケーションタグ、等を含む。ワイヤレスノードは、例えば、ワイヤードまたはワイヤレス通信リンクを介して、ネットワーク（例えば、セルラネットワークまたはインターネットなどのワイドエリアネットワーク）のための、またはネットワークへの接続性を提供し得る。いくつかのＵＥは、モノのインターネット（ＩｏＴ）デバイスと見なされ得る。図１では、両側に矢印がある実線は、ＵＥとサービングＢＳの間の所望の送信を示し、このサービングＢＳは、ダウンリンクおよび／またはアップリンク上でＵＥにサービス提供するように指定されたＢＳである。両側に矢印がある破線は、ＵＥとＢＳの間の干渉する送信を示す。
【００３４】
[0049]ある特定のワイヤレスネットワーク（例えば、ＬＴＥ）は、ダウンリンク上で直交周波数分割多重化（ＯＦＤＭ）およびアップリンク上でシングルキャリア周波数分割多重化（ＳＣ−ＦＤＭ）を利用する。ＯＦＤＭおよびＳＣ−ＦＤＭは、システム帯域幅を、一般に、トーン、ビン、等とも呼ばれる、複数（Ｋ個）の直交サブキャリアに区分する。各サブキャリアは、データで変調され得る。一般に、変調シンボルは、ＯＦＤＭでは周波数領域において、ＳＣ−ＦＤＭでは時間領域において送られる。隣接するサブキャリア間の間隔は、固定であり得、サブキャリアの総数（Ｋ）は、システム帯域幅に依存し得る。例えば、サブキャリアの間隔は、１５ｋＨｚであり得、最小のリソース割振り（「リソースブロック」と呼ばれる）は、１２個のサブキャリア（すなわち、１８０ｋＨｚ）であり得る。結果として、公称のＦＦＴサイズは、１．２５、２．５、５、１０、または２０メガヘルツ（ＭＨｚ）のシステム帯域幅に対して、それぞれ、１２８、２５６、５１２、１０２４、または２０４８に等しくなり得る。システム帯域幅はまた、サブバンドに区分され得る。例えば、サブバンドは、１．０８ＭＨｚ（すなわち、６個のリソースブロック）をカバーし得、１．２５、２．５、５、１０、または２０ＭＨｚのシステム帯域幅に対して、それぞれ、１、２、４、８、または１６個のサブバンドが存在し得る。
【００３５】
[0050]本明細書で説明される例の態様が、ＬＴＥ技術に関連付けられ得る一方で、本開示の態様は、ＮＲなどの他のワイヤレス通信システムに適用可能であり得る。ＮＲは、アップリンクおよびダウンリンク上でＣＰを用いるＯＦＤＭを利用し、時分割複信（ＴＤＤ）を使用する半二重動作に対するサポートを含み得る。１００ＭＨｚの単一のコンポーネントキャリア帯域幅がサポートされ得る。ＮＲリソースブロックは、０．１ｍｓの持続時間にわたって７５ｋＨｚのサブキャリア帯域幅を有する１２個のサブキャリアに及び得る。各無線フレームは、１０ｍｓの長さを有する５０個のサブフレームで構成され得る。結果として、各サブフレームは、０．２ｍｓの長さを有し得る。各サブフレームは、データ送信についてのリンク方向（すなわち、ＤＬまたはＵＬ）を示し得、各サブフレームについてのリンク方向は、動的に切り替えられ得る。各サブフレームは、ＤＬ／ＵＬデータのみならずＤＬ／ＵＬ制御データを含み得る。ＮＲのためのＵＬおよびＤＬサブフレームは、図６および図７に関して以下でより詳細に説明されるとおりであり得る。ビームフォーミングがサポートされ得、ビーム方向が動的に構成され得る。プリコーディングを用いたＭＩＭＯ送信もまたサポートされ得る。ＤＬにおけるＭＩＭＯ構成は、ＵＥごとに最大２ストリームおよび最大８ストリームのマルチレイヤＤＬ送信を用いる、最大８個の送信アンテナをサポートし得る。ＵＥごとに最大２ストリームを用いるマルチレイヤ送信がサポートされ得る。複数のセルのアグリゲーションが、最大８個のサービングセルを用いてサポートされ得る。代替として、ＮＲは、ＯＦＤＭベース以外の異なるエアインターフェースをサポートし得る。ＮＲネットワークは、ＣＵおよび／またはＤＵなどのエンティティを含み得る。
【００３６】
[0051]いくつかの例では、エアインターフェースへのアクセスがスケジュールされ得、ここで、スケジューリングエンティティ（例えば、基地局）は、そのサービスエリアまたはセル内の、一部または全てのデバイスおよび機器の間で、通信のためのリソースを割り振る。本開示内で、以下でさらに説明されるように、スケジューリングエンティティは、１つまたは複数の下位（subordinate）エンティティのためのリソースのスケジューリング、割り当て、再構成、および解放を担い得る。すなわち、スケジュールされた通信のために、下位エンティティは、スケジューリングエンティティによって割り振られるリソースを利用する。基地局は、スケジューリングエンティティとして機能し得る唯一のエンティティではない。すなわち、いくつかの例では、ＵＥが、スケジューリングエンティティとして機能し得、１つまたは複数の下位エンティティ（例えば、１つまたは複数の他のＵＥ）のためにリソースをスケジュールする。この例では、ＵＥが、スケジューリングエンティティとして機能しており、他のＵＥは、ワイヤレス通信のためにこのＵＥによってスケジュールされたリソースを利用する。ＵＥは、ピアツーピア（Ｐ２Ｐ）ネットワークにおいて、および／またはメッシュネットワークにおいて、スケジューリングエンティティとして機能し得る。メッシュネットワークの例では、ＵＥは、スケジューリングエンティティと通信することに加えて、オプションとして互いに直接通信し得る。
【００３７】
[0052]したがって、時間周波数リソースへのスケジュールされたアクセスを伴い、かつセルラ構成、Ｐ２Ｐ構成、およびメッシュ構成を有するワイヤレス通信ネットワークでは、スケジューリングエンティティおよび１つまたは複数の下位エンティティは、スケジュールされたリソースを利用して通信し得る。
【００３８】
[0053]上述されたように、ＲＡＮは、ＣＵおよびＤＵを含み得る。ＮＲ  ＢＳ（例えば、ｅＮＢ、５ＧノードＢ、ノードＢ、送受信ポイント（ＴＲＰ）、アクセスポイント（ＡＰ））は、１つまたは複数のＢＳに対応し得る。ＮＲセルは、アクセスセル（ＡＣｅｌｌ）またはデータオンリーセル（ＤＣｅｌｌ）として構成され得る。例えば、ＲＡＮ（例えば、中央ユニットまたは分散ユニット）は、セルを構成し得る。ＤＣｅｌｌは、キャリアアグリゲーションまたはデュアルコネクティビティのために使用されるが、初期アクセス、セル選択／再選択、またはハンドオーバのためには使用されないセルであり得る。いくつかのケースでは、ＤＣｅｌｌは、同期信号を送信しないことがあり得−いくつかのケースでは、ＤＣｅｌｌは、ＳＳを送信し得る。ＮＲ  ＢＳは、セルタイプを示すダウンリンク信号をＵＥに送信し得る。セルタイプインジケーションに基づいて、ＵＥは、ＮＲ  ＢＳと通信し得る。例えば、ＵＥは、示されたセルタイプに基づいて、セル選択、アクセス、ハンドオーバ、および／または測定のために考慮すべきＮＲ  ＢＳを決定し得る。
【００３９】
[0054]図２は、図１に例示されたワイヤレス通信システムにおいてインプリメントされ得る、分散型無線アクセスネットワーク（ＲＡＮ）２００の例となる論理アーキテクチャを例示する。５Ｇアクセスノード２０６は、アクセスノードコントローラ（ＡＮＣ）２０２を含み得る。ＡＮＣは、分散型ＲＡＮ２００の中央ユニット（ＣＵ）であり得る。次世代コアネットワーク（ＮＧ−ＣＮ）２０４へのバックホールインターフェースは、ＡＮＣにおいて終端（terminate）し得る。隣接する次世代アクセスノード（ＮＧ−ＡＮ）へのバックホールインターフェースは、ＡＮＣにおいて終端し得る。ＡＮＣは、１つまたは複数のＴＲＰ２０８（これは、ＢＳ、ＮＲ  ＢＳ、ノードＢ、５Ｇ  ＮＢ、ＡＰ、または何らかの他の用語で呼ばれることもある）を含み得る。上記で説明されたように、ＴＲＰは、「セル」と交換可能に用いられ得る。
【００４０】
[0055]ＴＲＰ２０８は、ＤＵであり得る。ＴＲＰは、１つのＡＮＣ（ＡＮＣ２０２）または１つより多くのＡＮＣ（図示せず）に接続され得る。例えば、ＲＡＮ共有、サービスとしての無線（ＲａａＳ：radio as a service）、およびサービス固有のＡＮＤ展開の場合、ＴＲＰは、１つより多くのＡＮＣに接続され得る。ＴＲＰは、１つまたは複数のアンテナポートを含み得る。ＴＲＰは、個別に（例えば、動的選択）または共同で（例えば、ジョイント送信）、ＵＥに対するトラフィックをサービス（serve）するように構成され得る。
【００４１】
[0056]ローカルアーキテクチャ２００は、フロントホール定義（fronthaul definition）を例示するために使用され得る。異なる展開タイプにわたってフロントホールソリューションをサポートするアーキテクチャが定義され得る。例えば、アーキテクチャは、送信ネットワーク能力（例えば、帯域幅、レイテンシ、および／またはジッタ）に基づき得る。
【００４２】
[0057]アーキテクチャは、特徴および／または構成要素をＬＴＥと共有し得る。複数の態様によると、次世代ＡＮ（ＮＧ−ＡＮ）２１０は、ＮＲとのデュアルコネクティビティをサポートし得る。ＮＧ−ＡＮは、ＬＴＥおよびＮＲのための共通のフロントホールを共有し得る。
【００４３】
[0058]アーキテクチャは、ＴＲＰ２０８同士および複数のＴＲＰ２０８の間での（between and among）協働を可能にし得る。例えば、協働は、ＡＮＣ２０２を介して複数のＴＲＰにわたっておよび／または１つのＴＲＰ内で事前設定（preset）され得る。複数の態様によると、ＴＲＰ間インターフェースは、必要がなくなり得る／存在しなくなり得る。
【００４４】
[0059]複数の態様によると、分割された論理機能（split logical functions）の動的構成が、アーキテクチャ２００内に存在し得る。図５を参照してより詳細に説明されるように、無線リソース制御（ＲＲＣ）レイヤ、パケットデータコンバージェンスプロトコル（ＰＤＣＰ）レイヤ、無線リンク制御（ＲＬＣ）レイヤ、媒体アクセス制御（ＭＡＣ）レイヤ、および物理（ＰＨＹ）レイヤは、ＤＵまたはＣＵ（例えば、それぞれ、ＴＲＰまたはＡＮＣ）において、適応的に配置され得る。ある特定の態様によると、ＢＳは、１つの中央ユニット（ＣＵ）（例えば、ＡＮＣ２０２）および／または１つまたは複数の分散ユニット（例えば、１つまたは複数のＴＲＰ２０８）を含み得る。
【００４５】
[0060]図３は、本開示の態様による、分散型ＲＡＮ３００の例となる物理アーキテクチャを例示する。集中型コアネットワークユニット（Ｃ−ＣＵ）３０２が、コアネットワーク機能をホストし得る。Ｃ−ＣＵは、中央に展開され得る。Ｃ−ＣＵ機能は、ピーク容量を処理するために、（例えば、アドバンストワイヤレスサービス（ＡＷＳ）に）オフロードされ得る。
【００４６】
[0061]集中型ＲＡＮユニット（Ｃ−ＲＵ）３０４が、１つまたは複数のＡＮＣ機能をホストし得る。オプションとして、Ｃ−ＲＵは、ローカルにコアネットワーク機能をホストし得る。Ｃ−ＲＵは、分散型展開を有し得る。Ｃ−ＲＵは、ネットワークエッジのより近くにあり得る。
【００４７】
[0062]ＤＵ３０６は、１つまたは複数のＴＲＰ（エッジノード（ＥＮ）、エッジユニット（ＥＵ）、無線ヘッド（ＲＨ）、スマート無線ヘッド（ＳＲＨ）、または同様のもの）をホストし得る。ＤＵは、無線周波数（ＲＦ）機能を伴って（with）ネットワークのエッジに位置し得る。
【００４８】
[0063]図４は、本開示の態様をインプリメントするために使用され得る、図１に例示されたＢＳ１１０およびＵＥ１２０の例となる構成要素を例示する。上記で説明されたように、ＢＳは、ＴＲＰを含み得る。ＢＳ１１０およびＵＥ１２０の１つまたは複数の構成要素が、本開示の態様を実施するために使用され得る。例えば、ＵＥ１２０のアンテナ４５２、Ｔｘ／Ｒｘ２２２、プロセッサ４６６、４５８、４６４、および／またはコントローラ／プロセッサ４８０、および／または、ＢＳ１１０のアンテナ４３４、プロセッサ４６０、４２０、４３８、および／またはコントローラ／プロセッサ４４０が、図８〜図１１を参照して例示されおよび本明細書で説明される動作を実行するために使用され得る。
【００４９】
[0064]図４は、図１のＢＳのうちの１つおよびＵＥのうちの１つであり得る、ＢＳ１１０およびＵＥ１２０の設計のブロック図を示す。制限付きアソシエーションのシナリオの場合、基地局１１０は、図１のマクロＢＳ１１０ｃであり得、ＵＥ１２０は、ＵＥ１２０ｙであり得る。基地局１１０はまた、何らかの他のタイプの基地局であり得る。基地局１１０は、アンテナ４３４ａ〜４３４ｔを装備し得、ＵＥ１２０は、アンテナ４５２ａ〜４５２ｒを装備し得る。
【００５０】
[0065]基地局１１０において、送信プロセッサ４２０は、データソース４１２からのデータおよびコントローラ／プロセッサ４４０からの制御情報を受信し得る。制御情報は、物理ブロードキャストチャネル（ＰＢＣＨ）、物理制御フォーマットインジケータチャネル（ＰＣＦＩＣＨ）、物理ハイブリッドＡＲＱインジケータチャネル（ＰＨＩＣＨ）、物理ダウンリンク制御チャネル（ＰＤＣＣＨ）、等のためのものであり得る。データは、物理ダウンリンク共有チャネル（ＰＤＳＣＨ）、等のためのものであり得る。プロセッサ４２０は、データおよび制御情報を処理（例えば、符号化およびシンボルマッピング）して、それぞれ、データシンボルおよび制御シンボルを取得し得る。プロセッサ４２０はまた、例えば、ＰＳＳ、ＳＳＳ、およびセル固有基準信号のための、基準シンボルを生成し得る。送信（ＴＸ）多入力多出力（ＭＩＭＯ）プロセッサ４３０は、適用可能な場合、データシンボル、制御シンボル、および／または基準シンボルに対して空間処理（例えば、プリコーディング）を実行し得、変調器（ＭＯＤ）４３２ａ〜４３２ｔに出力シンボルストリームを供給し得る。例えば、ＴＸ  ＭＩＭＯプロセッサ４３０は、ＲＳ多重化に関して本明細書で説明されるある特定の態様を実行し得る。各変調器４３２は、（例えば、ＯＦＤＭ、等のために）それぞれの出力シンボルストリームを処理して、出力サンプルストリームを取得し得る。各変調器４３２は、出力サンプルストリームをさらに処理（例えば、アナログ変換、増幅、フィルタリング、およびアップコンバート）して、ダウンリンク信号を取得し得る。変調器４３２ａ〜４３２ｔからのダウンリンク信号は、それぞれ、アンテナ４３４ａ〜４３４ｔを介して送信され得る。
【００５１】
[0066]ＵＥ１２０において、アンテナ４５２ａ〜４５２ｒは、基地局１１０からダウンリンク信号を受信し得、受信された信号を、それぞれ、復調器（ＤＥＭＯＤ）４５４ａ〜４５４ｒに供給し得る。各復調器４５４は、それぞれの受信された信号を調整（例えば、フィルタリング、増幅、ダウンコンバート、およびデジタル化）して、入力サンプルを取得し得る。各復調器４５４は、（例えば、ＯＦＤＭ、等のために）入力サンプルをさらに処理して、受信されたシンボルを取得し得る。ＭＩＭＯ検出器４５６は、全ての復調器４５４ａ〜４５４ｒから、受信されたシンボルを取得し、適用可能な場合、受信されたシンボルに対してＭＩＭＯ検出を実行し、検出されたシンボルを供給し得る。例えば、ＭＩＭＯ検出器４５６は、本明細書で説明される技法を使用して送信される検出されたＲＳを供給し得る。受信プロセッサ４５８は、検出されたシンボルを処理（例えば、復調、デインターリーブ、および復号）し、ＵＥ１２０のための復号されたデータをデータシンク４６０に供給し、復号された制御情報をコントローラ／プロセッサ４８０に供給し得る。１つまたは複数のケースによると、ＣｏＭＰ態様が、アンテナ、ならびにいくつかのＴｘ／Ｒｘ機能を、それらが分散ユニットに存在するように設けることを含み得る。例えば、一部のＴｘ／Ｒｘ処理が、中央ユニットで行われ得、一方、他の処理は、分散ユニットにおいて行われ得る。例えば、図に示されるような１つまたは複数の態様によると、ＢＳの変調器／復調器（mod/demod）４３２は、分散ユニット内にあり得る。
【００５２】
[0067]アップリンクでは、ＵＥ１２０において、送信プロセッサ４６４は、データソース４６２からの（例えば、物理アップリンク共有チャネル（ＰＵＳＣＨ）のための）データおよびコントローラ／プロセッサ４８０からの（例えば、物理アップリンク制御チャネル（ＰＵＣＣＨ）のための）制御情報を受け取りおよび処理し得る。送信プロセッサ４６４はまた、基準信号のための基準シンボルを生成し得る。送信プロセッサ４６４からのシンボルは、適用可能な場合、ＴＸ  ＭＩＭＯプロセッサ４６６によってプリコーディングされ、（例えば、ＳＣ−ＦＤＭ、等のために）復調器４５４ａ〜４５４ｒによってさらに処理され、基地局１１０に送信され得る。ＢＳ１１０において、ＵＥ１２０からのアップリンク信号は、アンテナ４３４によって受信され、変調器４３２によって処理され、適用可能な場合、ＭＩＭＯ検出器４３６によって検出され、受信プロセッサ４３８によってさらに処理されて、ＵＥ１２０によって送られた、復号されたデータおよび制御情報を取得し得る。受信プロセッサ４３８は、復号されたデータをデータシンク４３９に供給し、復号された制御情報をコントローラ／プロセッサ４４０に供給し得る。
【００５３】
[0068]コントローラ／プロセッサ４４０および４８０は、それぞれ、基地局１１０およびＵＥ１２０における動作を指示し得る。基地局１１０におけるプロセッサ４４０および／または他のプロセッサおよびモジュールは、例えば、図８〜図１１に例示される機能ブロックの実行、および／または本明細書で説明される技法のための他のプロセスを実行または指示し得る。ＵＥ１２０におけるプロセッサ４８０および／または他のプロセッサおよびモジュールもまた、本明細書で説明される技法のためのプロセスを実行または指示し得る。メモリ４４２および４８２は、それぞれ、ＢＳ１１０およびＵＥ１２０のためのデータおよびプログラムコードを記憶し得る。スケジューラ４４４は、ダウンリンクおよび／またはアップリンク上でのデータ送信のためにＵＥをスケジュールし得る。
【００５４】
[0069]図５は、本開示の態様による、通信プロトコルスタックをインプリメントするための例を示す図５００を例示する。例示される通信プロトコルスタックは、５Ｇシステム（例えば、アップリンクベースのモビリティをサポートするシステム）において動作するデバイスによってインプリメントされ得る。図５００は、無線リソース制御（ＲＲＣ）レイヤ５１０、パケットデータコンバージェンスプロトコル（ＰＤＣＰ）レイヤ５１５、無線リンク制御（ＲＬＣ）レイヤ５２０、媒体アクセス制御（ＭＡＣ）レイヤ５２５、および物理（ＰＨＹ）レイヤ５３０を含む、通信プロトコルスタックを例示する。様々な例では、プロトコルスタックのレイヤは、ソフトウェアの別個のモジュール、プロセッサまたはＡＳＩＣの部分、通信リンクによって接続された非コロケートデバイスの部分、またはこれらの様々な組合せとしてインプリメントされ得る。コロケートおよび非コロケートのインプリメンテーションは、例えば、ネットワークアクセスデバイス（例えば、ＡＮ、ＣＵ、および／またはＤＵ）またはＵＥのためのプロトコルスタックにおいて、使用され得る。
【００５５】
[0070]第１のオプション５０５−ａは、プロトコルスタックのインプリメンテーションが、集中型ネットワークアクセスデバイス（例えば、図２のＡＮＣ２０２）と、分散型ネットワークアクセスデバイス（例えば、図２のＤＵ２０８）との間で分割（split）される、プロトコルスタックの分割インプリメンテーションを示す。第１のオプション５０５−ａでは、ＲＲＣレイヤ５１０およびＰＤＣＰレイヤ５１５は、中央ユニットによってインプリメントされ得、ＲＬＣレイヤ５２０、ＭＡＣレイヤ５２５、およびＰＨＹレイヤ５３０は、ＤＵによってインプリメントされ得る。様々な例では、ＣＵおよびＤＵは、コロケートされるか、または非コロケートされ得る。第１のオプション５０５−ａは、マクロセル、マイクロセル、またはピコセルの展開において有用であり得る。
【００５６】
[0071]第２のオプション５０５−ｂは、プロトコルスタックが、単一のネットワークアクセスデバイス（例えば、アクセスノード（ＡＮ）、新無線基地局（ＮＲ  ＢＳ）、新無線ノードＢ（ＮＲ  ＮＢ）、ネットワークノード（ＮＮ）、または同様のもの）においてインプリメントされる、プロトコルスタックの統合インプリメンテーションを示す。第２のオプションでは、ＲＲＣレイヤ５１０、ＰＤＣＰレイヤ５１５、ＲＬＣレイヤ５２０、ＭＡＣレイヤ５２５、およびＰＨＹレイヤ５３０は、ＡＮによってそれぞれインプリメントされ得る。第２のオプション５０５−ｂは、フェムトセルの展開において有用であり得る。
【００５７】
[0072]ネットワークアクセスデバイスが、プロトコルスタックの一部をインプリメントするか、あるいはプロトコルスタックの全てをインプリメントするかにかかわらず、ＵＥは、全プロトコルスタック（例えば、ＲＲＣレイヤ５１０、ＰＤＣＰレイヤ５１５、ＲＬＣレイヤ５２０、ＭＡＣレイヤ５２５、およびＰＨＹレイヤ５３０）をインプリメントし得る。
【００５８】
[0073]図６は、ＤＬセントリックサブフレームの例を示す図６００である。ＤＬセントリックサブフレームは、制御部分６０２を含み得る。制御部分６０２は、ＤＬセントリックサブフレームの初期または始まりの部分に存在し得る。制御部分６０２は、ＤＬセントリックサブフレームの様々な部分に対応する、様々なスケジューリング情報および／または制御情報を含み得る。いくつかの構成では、制御部分６０２は、図６に示されるように、物理ＤＬ制御チャネル（ＰＤＣＣＨ）であり得る。ＤＬセントリックサブフレームはまた、ＤＬデータ部分６０４を含み得る。ＤＬデータ部分６０４は、ＤＬセントリックサブフレームのペイロードと呼ばれることもある。ＤＬデータ部分６０４は、スケジューリングエンティティ（例えば、ＵＥまたはＢＳ）から下位エンティティ（例えば、ＵＥ）にＤＬデータを通信するために利用される通信リソースを含み得る。いくつかの構成では、ＤＬデータ部分６０４は、物理ＤＬ共有チャネル（ＰＤＳＣＨ）であり得る。
【００５９】
[0074]ＤＬセントリックサブフレームはまた、共通ＵＬ部分６０６を含み得る。共通ＵＬ部分６０６は、ＵＬバースト、共通ＵＬバースト、および／または様々な他の好適な用語で呼ばれることもある。共通ＵＬ部分６０６は、ＤＬセントリックサブフレームの様々な他の部分に対応するフィードバック情報を含み得る。例えば、共通ＵＬ部分６０６は、制御部分６０２に対応するフィードバック情報を含み得る。フィードバック情報の非限定的な例は、ＡＣＫ信号、ＮＡＣＫ信号、ＨＡＲＱインジケータ、および／または様々な他の好適なタイプの情報を含み得る。共通ＵＬ部分６０６は、ランダムアクセスチャネル（ＲＡＣＨ）プロシージャに関する情報、スケジューリング要求（ＳＲ）、および様々な他の好適なタイプの情報などの、追加または代替の情報を含み得る。図６に例示されるように、ＤＬデータ部分６０４の終わりは、共通ＵＬ部分６０６の始まりから時間的な隔たりがあり得る。この時間的な隔たりは、ギャップ、ガード期間、ガードインターバル、および／または様々な他の好適な用語で呼ばれることもある。この隔たりは、ＤＬ通信（例えば、下位エンティティ（例えば、ＵＥ）による受信動作）から、ＵＬ通信（例えば、下位エンティティ（例えば、ＵＥ）による送信）への切替えのための時間を提供する。当業者であれば、前述は、ＤＬセントリックサブフレームの単なる一例にすぎず、本明細書で説明される態様から必ずしも逸脱することなく、同様の特徴を有する代替構造が存在し得ることを理解するであろう。
【００６０】
[0075]図６Ａは、ＵＬセントリックサブフレームの例を示す図６５０である。ＵＬセントリックサブフレームは、制御部分６５２を含み得る。制御部分６５２は、ＵＬセントリックサブフレームの初期または始まりの部分に存在し得る。図６Ａの制御部分６５２は、図６を参照して上記で説明された制御部分と同様であり得る。ＵＬセントリックサブフレームはまた、ＵＬデータ部分６５４を含み得る。ＵＬデータ部分６５４は、ＵＬセントリックサブフレームのペイロードと呼ばれることもある。ＵＬデータ部分は、下位エンティティ（例えば、ＵＥ）からスケジューリングエンティティ（例えば、ＵＥまたはＢＳ）にＵＬデータを通信するために利用される通信リソースを指し得る。いくつかの構成では、制御部分６５２は、物理ＤＬ制御チャネル（ＰＤＣＣＨ）であり得る。
【００６１】
[0076]図６Ａに例示されるように、制御部分６５２の終わりは、ＵＬデータ部分６５４の始まりから時間的な隔たりがあり得る。この時間的な隔たりは、ギャップ、ガード期間、ガードインターバル、および／または様々な他の好適な用語で呼ばれることもある。この隔たりは、ＤＬ通信（例えば、スケジューリングエンティティによる受信動作）から、ＵＬ通信（例えば、スケジューリングエンティティによる送信）への切替えのための時間を提供する。ＵＬセントリックサブフレームはまた、共通ＵＬ部分６５６を含み得る。図６Ａの共通ＵＬ部分６５６は、図６Ａを参照して上記で説明された共通ＵＬ部分６５６と同様であり得る。共通ＵＬ部分６５６は、追加または代替として、チャネル品質インジケータ（ＣＱＩ）に関する情報、サウンディング基準信号（ＳＲＳ）、および様々な他の好適なタイプの情報を含み得る。当業者であれば、前述は、ＵＬセントリックサブフレームの単なる一例にすぎず、本明細書で説明される態様から必ずしも逸脱することなく、同様の特徴を有する代替構造が存在し得ることを理解するであろう。
【００６２】
[0077]いくつかの状況では、２つ以上の下位エンティティ（例えば、ＵＥ）が、サイドリンク信号を使用して互いに通信し得る。このようなサイドリンク通信の現実世界でのアプリケーションは、公共安全、近接サービス、ＵＥ−ネットワーク中継、車車間（Ｖ２Ｖ：vehicle-to-vehicle）通信、全てのインターネット（ＩｏＥ）通信、ＩｏＴ通信、ミッションクリティカルメッシュ、および／または様々な他の好適なアプリケーションを含み得る。一般に、サイドリンク信号は、スケジューリングエンティティがスケジューリングおよび／または制御目的のために利用され得るにもかかわらず、スケジューリングエンティティ（例えば、ＵＥまたはＢＳ）を通じてその通信を中継することなく、１つの下位エンティティ（例えば、ＵＥ１）から別の下位エンティティ（例えば、ＵＥ２）に通信される信号を指し得る。いくつかの例では、サイドリンク信号は、（通常、アンライセンススペクトルを使用するワイヤレスローカルエリアネットワークとは異なり）ライセンススペクトルを使用して通信され得る。
【００６３】
[0078]ＵＥは、リソースの専用セットを使用してパイロットを送信することに関連付けられた構成（例えば、無線リソース制御（ＲＲＣ）専用状態、等）、またはリソースの共通セットを使用してパイロットを送信することに関連付けられた構成（例えば、ＲＲＣ共通状態、等）を含む、様々な無線リソース構成で動作し得る。ＲＲＣ専用状態で動作しているとき、ＵＥは、パイロット信号をネットワークに送信するために、リソースの専用セットを選択し得る。ＲＲＣ共通状態で動作しているとき、ＵＥは、パイロット信号をネットワークに送信するために、リソースの共通セットを選択し得る。いずれのケースでも、ＵＥによって送信されるパイロット信号は、ＡＮまたはＤＵなどの、１つまたは複数のネットワークアクセスデバイス、あるいはその部分によって受信され得る。各受信ネットワークアクセスデバイスは、リソースの共通セット上で送信されるパイロット信号を受信および測定すること、そしてまた、ネットワークアクセスデバイスがそのＵＥについてのネットワークアクセスデバイスの監視セットのメンバである、ＵＥに割り振られたリソースの専用セット上で送信されたパイロット信号を受信および測定することを行うように構成され得る。受信ネットワークアクセスデバイスのうちの１つまたは複数、または（１つまたは複数の）受信ネットワークアクセスデバイスがパイロット信号の測定値を送信する先のＣＵは、ＵＥのためのサービングセルを識別するために、またはＵＥのうちの１つまたは複数のためのサービングセルの変更を開始するために、測定値を使用し得る。
【００６４】
［例となるＰＢＣＨ  ＴＴＩ］
[0079]いくつかのケースでは、制御情報は、送信時間間隔（ＴＴＩ）と呼ばれる時間期間内で複数の送信として「バンドリングされる（bundled）」ことができる。例えば、同じ情報の異なる「冗長」バージョンが、ＴＴＩ内で周期的に送信され得、受信機が情報の複数のインスタンスを組み合わせて、より良い復号パフォーマンスを達成することを可能にする。
【００６５】
[0080]例えば、図７に例示されるように、ＬＴＥでは、ＰＢＣＨは、４０ミリ秒のＢＣＨ  ＴＴＩ内で、１０ミリ秒の周期性で送信され得る。ＢＣＨ  ＴＴＩ内のＰＢＣＨの各インスタンス７０２は、コーディングされたブロックの１つのＲＶ（冗長バージョン）（ＲＶ０、ＲＶ１、ＲＶ２、ＲＶ３）である。ＵＥは、より良いパフォーマンスを得るために、復号する前に、ＢＣＨ  ＴＴＩ内のＰＢＣＨの複数のインスタンス７０２を組み合わせ（combine）得る。しかしながら、ＵＥは、ＰＢＣＨの後続のインスタンス７０４におけるコーディングされた情報は、次のＴＴＩにおいて変化する可能性があるので、組み合わせることを実行するために、冗長バージョンをブラインド復号する必要がある。
【００６６】
[0081]ＭＩＢ（マスタ情報ブロック）は、ＰＢＣＨを通じて送信される。ＭＩＢは、タイミングリファレンスとしてＳＦＮ（システムフレーム番号）ビットを搬送する（carries）。ＭＩＢは、２つのＬＳＢ（最下位ビット）を除く全てのＳＦＮビットを搬送する。２つのＬＳＢは、ＰＢＣＨ復号を通じてＵＥによって取得され（acquired）得る。
【００６７】
[0082]換言すれば、４つの１０ミリ秒フレームが４０ミリ秒のＴＴＩ内に収まるので、ＳＦＮの２つのＬＳＢのみがＴＴＩ内で変化することになる。したがって、同じコンテンツを維持しながら、他のビットが異なる冗長バージョンに含まれ得、これにより組み合わせることを可能にする。
【００６８】
[0083]いくつかのケースでは、第１の無線フレーム構造（タイプ１と呼ばれる）が、（全二重と半二重動作の両方について）ＦＤＤのために使用され、１０ｍｓの持続時間を有し、０．５ｍｓのスロット持続時間を有する２０個のスロットから構成される。このケースでは、２つの隣接するスロットが、長さ１ｍｓの１つのサブフレームを形成する。第２の無線フレーム構造（タイプ２と呼ばれる）が、ＴＤＤのために使用され、それぞれが５ｍｓの持続時間を有する２つのハーフフレームによって形成される。各ハーフフレームは、長さ０．５ｍｓの１０個のスロット、または、長さ０．５ｍｓの８個のスロットおよび設定可能な個々の長さを有する３つの特殊フィールド（ＤｗＰＴＳ、ＧＰおよびＵｐＰＴＳ）、のいずれかを含み、合計の長さが１ｍｓであり、５ｍｓと１０ｍｓの両方のダウンリンク−アップリンクスイッチポイント周期性（downlink-to-uplink switch-point periodicity）をサポートする。
【００６９】
［例となる同期信号ブロック設計］
[0084]３ＧＰＰの５Ｇワイヤレス通信規格のもとで、ＮＲ同期チャネルとも呼ばれる、ＮＲ同期（同期（synch））信号（ＮＲ−ＳＳ）のための構造が定義されている。５Ｇのもとでは、異なるタイプの同期信号（例えば、プライマリ同期信号（ＰＳＳ）、セカンダリ同期信号（ＳＳＳ）、時間同期信号（ＴＳＳ）、およびＰＢＣＨ）を搬送する連続したＯＦＤＭシンボルのセットが、ＳＳブロックを形成する。いくつかのケースでは、１つまたは複数のＳＳブロックのセットが、ＳＳバーストを形成し得る。加えて、異なるＳＳブロックが、異なるビームで送信され得、同期信号についてのビームスイーピングを達成し、これは、セルを迅速に識別および獲得（acquire）するために、ＵＥによって使用され得る。さらに、ＳＳブロックにおけるチャネルのうちの１つまたは複数が、測定のために使用され得る。このような測定は、無線リンク管理（ＲＬＭ）、ビーム管理などの、様々な目的のために使用され得る。例えば、ＵＥは、セル品質を測定し、測定報告の形で品質の報告を返し得、これは、ビーム管理およびその他の目的のために、基地局によって使用され得る。
【００７０】
[0085]図８は、本開示の態様による、新無線電気通信システムのための同期信号の例となる送信タイムライン８００を例示する。図１に示されたＢＳ１１０などのＢＳは、本開示のある特定の態様に従って、Ｙμ秒の期間８０６の間、ＳＳバースト８０２を送信し得る。ＳＳバースト８０２は、０〜Ｎ−１のインデックスを有するＮ個のＳＳブロック８０４を含み得、ＢＳは、（例えば、ビームスイーピングのために）異なる送信ビームを使用して、バーストの異なるＳＳブロックを送信し得る。上述されたように、各ＳＳブロックは、例えば、ＰＳＳ、ＳＳＳ、および１つまたは複数のＰＢＣＨを含み得る。ＢＳは、Ｘミリ秒の期間（period）８０８で、周期的にＳＳバーストを送信し得る。
【００７１】
[0086]図９は、本開示の態様による、例示的なＳＳブロック９０２についての例となるリソースマッピング９００を例示する。例示的なＳＳブロックは、ＰＳＳ９１０と、ＳＳＳ９１２と、２つのＰＢＣＨ９２０および９２２とを含むが、本開示はそのように限定されるものではなく、ＳＳブロックは、より多くのまたはより少ない同期信号および同期チャネルを含み得る。例示されるように、ＰＢＣＨの送信帯域幅（Ｂ１）は、同期信号の送信帯域幅（Ｂ２）とは異なり得る。例えば、ＰＢＣＨの送信帯域幅は２８８トーンであり得、一方、ＰＳＳおよびＳＳＳの送信帯域幅は１２７トーンであり得る。図９に示されるように、ＳＳブロック内のＰＳＳ、ＳＳＳおよびＰＢＣＨ（およびＰＢＣＨに関するＤＭＲＳ）は、時間領域において多重化される。
【００７２】
[0087]異なる同期モード：スタンドアロンでの初期捕捉（initial acquisition）、ノンスタンドアロンでの初期捕捉、およびアイドルまたは接続モードでの同期が存在する。本明細書で説明されるように、これらの異なる同期モードは、異なるＰＢＣＨ  ＴＴＩおよびＰＢＣＨ送信周期性を有し得る。結果として、異なるＳＦＮビットがＴＴＩ内で変化し得、各冗長バージョンにおいて同じコンテンツを維持することへの課題を提示する。
【００７３】
［例となるＭＩＢを通じたタイミングインジケーション］
[0088]本開示のある特定の態様は、物理ブロードキャストチャネル（ＰＢＣＨ）の複数の冗長バージョンが送信される送信時間間隔（ＴＴＩ）にわたって変化するタイミング情報を伝達するための方法および装置に関する。
【００７４】
[0089]図１０は、本開示の態様による、図１に示されたＢＳ１１０などの基地局（ＢＳ）（または何らかの他のタイプのネットワークエンティティ）によってタイミング情報を伝達するための例となる動作１０００を例示する。
【００７５】
[0090]動作１０００は、１００２において、物理ブロードキャストチャネル（ＰＢＣＨ）送信周期性とＰＢＣＨ送信時間間隔（ＴＴＩ）の持続時間とに基づいて、ＴＴＩの持続時間にわたって変化する、ＰＢＣＨにおいて伝達されるタイミングリファレンス番号の第１のセットの１つまたは複数のビットを決定することによって開始する。１００４において、基地局は、ＴＴＩ内で、ＴＴＩの持続時間にわたって変化しないタイミングリファレンス番号の第２のセットのビットを含む、物理ブロードキャストチャネル（ＰＢＣＨ）の複数のバージョンを送信する。１００６において、基地局は、各ＰＢＣＨ送信とともに、タイミングリファレンス番号の第１のセットのビットのインジケーションを提供する。
【００７６】
[0091]図１１は、本開示の態様による、図１に示されたＵＥ１２０などのユーザ機器（ＵＥ）（またはバックホールリレーとして機能するワイヤレスデバイスなどの何らかの他のタイプのワイヤレスデバイス）によるワイヤレス通信のための例となる動作１１００を例示する。例えば、ＵＥは、動作１０００に従ってＢＳによって伝達されたタイミング情報を復号するために、動作１１００を実行し得る。
【００７７】
[0092]動作１１００は、１１０２において、物理ブロードキャストチャネル（ＰＢＣＨ）送信周期性とＰＢＣＨ送信時間間隔（ＴＴＩ）の持続時間とに基づいて、ＴＴＩの持続時間にわたって変化する、ＰＢＣＨにおいて伝達されるタイミングリファレンス番号の第１のセットの１つまたは複数のビットを決定することによって開始する。１１０４において、ＵＥは、ＴＴＩの持続時間にわたって変化しないタイミングリファレンス番号の第２のセットのビットを含む、ＴＴＩ内の物理ブロードキャストチャネル（ＰＢＣＨ）の複数のバージョンのうちの少なくとも１つを復号する。１１０６において、ＵＥは、各復号されたＰＢＣＨ送信とともに、タイミングリファレンス番号の第１のセットのビットのインジケーションを取得する。
【００７８】
[0093]上述されたように、異なるＴＴＩおよびＢＣＨ送信周期性により、同期モードに依存して、異なるＳＦＮビットがＴＴＩ内で変化し得る。
【００７９】
[0094]例えば、図１２に例示されるように、スタンドアロン同期モードでの初期捕捉（initial aquisition）中、ＰＢＣＨインスタンス１２０２は、２０ミリ秒の送信周期性と、８０ミリ秒のＢＣＨ  ＴＴＩとを有し得る。
【００８０】
[0095]図１３は、先と同様に１０ミリ秒のフレームを仮定して、ＴＴＩ内でＰＢＣＨコンテンツがどのように変化し得るかを例示する。例示されるように、２０ミリ秒の送信周期性では、ＬＳＢ（ビットｂ０）は、各冗長バージョンでは変化せず、一方、ビット３〜９もまた、８０ｍｓのＴＴＩ内では変化しない。その一方で、ビット２および１（ｂ２およびｂ１）は、各送信期間において変化することになる。
【００８１】
[0096]したがって、各冗長バージョンにおけるコンテンツを同じに保ち、組み合わせることを可能にするために、ビットｂ０およびｂ３〜ｂ９は、ＭＩＢにおいて伝達され得、一方、ビットｂ１およびｂ２は、別個に伝達され得る。
【００８２】
[0097]例えば、ビットｂ１およびｂ２は、同期信号、ＭＩＢ、またはＤＭＲＳにおいて伝達され得る。いくつかのケースでは、これらのビットの値は、バーストセットインデックス（burst set index）として伝達され得るか、またはＰＢＣＨ冗長バージョンとして伝達され得る。換言すれば、（２ビットの組合せの場合）４つの異なる値の各々は、４つの異なる冗長バージョンにマッピングされ得る。
【００８３】
[0098]例示されるように、いくつかのケースでは、フレーム内の５ミリ秒（ハーフフレーム）の境界（ハーフフレーム境界）を示すために、余分なビットが（例えば、プリアンブル／ミッドアンブルとして）伝達され得る。換言すれば、その余分なビットは、例えば、フレーム内の２つのハーフフレームのうちの１つを示す、ハーフフレームインジケーションを提供し得る。
【００８４】
[0099]いくつかのケースでは、アイドル／接続モードまたはノンスタンドアロンモードでの初期捕捉の場合、より長い送信周期性が使用され得る（例えば、４０、８０、または１６０ミリ秒）。このようなケースでは、ＰＢＣＨを組み合わせることを可能にするために、ＢＣＨ  ＴＴＩは、これらのモードのために適宜増大され得る。
【００８５】
[0100]例えば、図１４は、１６０ミリ秒のＢＣＨ  ＴＴＩとともに、各ＰＢＣＨインスタンス１４０２について４０ミリ秒の（ＴＴＩ内での）送信周期性を有する例となる構成を例示する。
【００８６】
[0101]図１５は、ＭＩＢコンテンツの特定のＳＦＮビットがまた、１６０ミリ秒のＢＣＨ  ＴＴＩに従って、どのように変化し得るかを例示する。この例では、各ＰＢＣＨインスタンスの送信についての４０ミリ秒の周期性により、ビットｂ１およびｂ０は、各冗長バージョンとともに変化しない。その一方で、ビットｂ２およびｂ３は、変化することになる。したがって、上記で説明されたように、ビットｂ０〜ｂ１およびビットｂ４〜ｂ９は、ＭＩＢにおいて伝達され得、一方、ビットｂ３およびｂ２は、別の方法で伝達され得、上述したように、コンテンツがより長いＴＴＩにわたって変化しないことと、組み合わせることが依然として実行され得ることとを確実にし、復号パフォーマンスを向上させる。
【００８７】
[0102]当然ながら、ＰＢＣＨ周期性（例えば、２０ミリ秒、４０ミリ秒）とＢＣＨ  ＴＴＩ（８０ミリ秒、１６０ミリ秒）の様々な組合せが使用され得、他のメカニズムを介してではなく、ＭＩＢにおいて送信される特定のＳＦＮビットは、それに応じて調整され得る。いくつかのケースでは、２ビットは、ＲＶおよび／またはＤＭＲＳを介して伝達され得、一方、２ビットは、同期信号（例えば、ＳＳＳ）を通じて伝達され得る。
【００８８】
[0103]本明細書で説明されるように、いくつかのケースでは、ＭＩＢにおいてタイミング情報を搬送するための構成は、決定されたＰＢＣＨ  Ｔｘ周期性とＢＣＨ  ＴＴＩとに基づいて決定される。上記で説明されたように、これらのパラメータは、動作モードに基づいて決定され得る（例えば、ノンスタンドアロンでの、ＲＲＣアイドルまたはＲＲＣ接続モードの１つまたは複数のＵＥのために、スタンドアロンでの初期捕捉（e.g., initial acquisition in standalone, for one or multiple UEs in RRC idle or RRC-connected mode, in non-standalone））に基づいて決定され得る。
【００８９】
[0104]上記で説明された例において実証されたように、ＢＣＨ  ＴＴＩは、整数個のＰＢＣＨ  Ｔｘインスタンス（an integer number of PBCH Tx instances）（例えば、４つまたは２つ）になるように選ばれ得る。
【００９０】
[0105]いくつかのケースでは、周期性およびＢＣＨ  ＴＴＩについてのこのような情報は、ＵＥに対して示され得る。例えば、この情報は、同じセルまたは隣接セルのための無線リソース制御（ＲＲＣ）メッセージシグナリング、システム情報ブロック（ＳＩＢ）、またはマスタ情報ブロック（ＭＩＢ）を介して、（例えば、標準仕様において）予め構成され得る（換言すれば、１つの基地局がこの情報を送信し得、一方、別の基地局はＰＢＣＨを送信する）。
【００９１】
[0106]デバイスが、少なくとも２つの異なる無線アクセス技術（ＲＡＴ）を介して通信する、デュアルコネクティビティシナリオでは、この情報は１つのＲＡＴで伝達され得、一方、ＰＢＣＨは別のＲＡＴで送信される。例えば、ＬＴＥ−ＮＲデュアルコネクティビティモードでは、ＮＲについての情報は、ＬＴＥを介して提供され得る。別の例として、新無線の２つのタイプを伴うデュアルコネクティビティモード（ＮＲ１−ＮＲ２デュアルコネクティビティモード）の場合、サブ６ＧＨｚ  ＮＲ１が、６ＧＨｚ超（over-6GHz）  ＮＲ２のための情報を提供し得る。
【００９２】
[0107]上記で説明された例で述べられたように、この方法で伝達されるタイミング情報は、ＳＦＮ（システムフレーム番号）を指し得る。いくつかのケースでは、伝達されるタイミング情報は、サブフレームレベルのタイミング（例えば、５ミリ秒の境界を示すためのミッドアンブル／プリアンブル）またはシンボルレベルのタイミング（例えば、ＳＳバーストセット内のＳＳブロックインデックス）を指し得る。
【００９３】
[0108]いずれのケースでも、タイミングインジケーション構成は、ＢＣＨ  ＴＴＩ内のＰＢＣＨの複数のインスタンスを組み合わせることを可能にするようなやり方で決定される。上記で説明されたように、ＢＣＨ  ＴＴＩ内のＰＢＣＨインスタンスのロケーションを示すタイミング情報の一部は、ＭＩＢコンテンツにおいて明示的に搬送されない場合があるが、他の手段（例えば、ＰＢＣＨ  ＲＶおよび／またはＳＳＳ／ＤＭＲＳ／ＰＳＳ）を介して伝達され得る。
【００９４】
[0109]いくつかのケースでは、このタイミング情報は、ＰＢＣＨ  ＲＶと、ＳＳＳ／ＤＭＲＳ／ＰＳＳの組合せとの両方で搬送され得る（これは、何らかの冗長性が存在することを意味する）。このケースでは、ＵＥが、ＳＳＳ／ＤＭＲＳ／ＰＳＳからこの情報（の一部）を成功裏に取得できた場合、それは、ＲＶブラインド検出（の一部）を回避することによって、ＰＢＣＨ処理の複雑さを低減させ得る。
【００９５】
[0110]上記の例で説明されたように、タイミング情報が、ＸビットのＳＦＮ（例えば、Ｘ＝１０である）を指す場合には、Ｘビットのうち、ＢＣＨ  ＴＴＩ内のＰＢＣＨインスタンスのロケーションを識別するｂビット（例えば、ｂ＝２）は、ＭＩＢにおいて搬送されない場合があるが、他の手段を介して伝送され得る。
【００９６】
[例となる異なるモードでのＤＭＲＳ／ＰＢＣＨを通じたタイミングインジケーション］
[0111]ある特定の態様によると、タイミングインジケーションはまた、（追加または代替として）異なるモードで復調基準信号（ＤＭＲＳ）および物理ブロードキャストチャネル（ＰＢＣＨ）送信を介して提供され得る。
【００９７】
[0112]そこで説明されているように、いくつかのケースでは、ＵＥは、ＤＭＲＳの複数のインスタンスの検出を通じて、同期周期性（同期バーストの周期性）を（少なくとも部分的に）推測し得る。このような情報を推測した後、ＵＥは、ＰＢＣＨ処理（例えば、複数のＰＢＣＨ送信を組み合わせること）のために、推測された情報を使用し得る。
【００９８】
[0113]いくつかのケースでは、ＤＭＲＳ／ＰＢＣＨスクランブリング設計（タイミングインジケーションスキームの観点から）は、第１のセットの同期期間については同じであり得、第２のセット（の同期期間）については同期期間依存的（sync period-dependent）であり得る。換言すれば、第１のセットのＰＢＣＨ  ＴＴＩについては、ＤＭＲＳおよびスクランブリングシーケンスの設計は、各ＰＢＣＨ  ＴＴＩに対して同じであり、一方、第２のセットのＰＢＣＨ  ＴＴＩについては、ＤＭＲＳおよびスクランブリングシーケンスの設計は、ＰＢＣＨ  ＴＴＩ依存的（PBCH TTI-dependent）である。
【００９９】
[0114]上記で説明されたように、タイミング情報は、ＭＩＢ（ＰＢＣＨコンテンツ）、ＤＭＲＳ、ＳＳＳ、ＰＢＣＨ冗長バージョン（ＲＶ）において提供され得る。いくつかのケースでは、タイミング情報は、「ＰＢＣＨスクランブリングシーケンス」を介して提供され得る。例として、ＰＢＣＨ  ＲＶを介して情報を伝達する代わりに（またはそれに加えて）、そのような情報は、ＰＢＣＨスクランブリングシーケンスを介して伝達され得る。
【０１００】
[0115]ＤＭＲＳ／ＰＢＣＨを介してタイミング情報を伝達するための様々な代替が存在する。例えば、ノンスタンドアロンモードまたはＲＲＣアイドル／接続モードでの、第１の代替（Ａｌｔ  １）の場合、バーストセット周期性は、｛５，１０，２０，４０，８０，１６０｝ミリ秒における任意の値をとることができ、ＤＭＲＳおよびＰＢＣＨスクランブリングは、バーストセット周期性に関係なく、同じタイミング情報（例えば、ｂ２ｂ１）を伝達し得る。
【０１０１】
[0116]第２の代替（Ａｌｔ  ２）の場合、ＤＭＲＳおよびＰＢＣＨスクランブリングは、以下のように、異なるバーストセット周期性について異なるタイミング情報を伝達し得る：
５ミリ秒の周期性：ｂ０  ＆  １ビットのプリ／ミッドアンブル
１０ミリ秒の周期性：ｂ１ｂ０
２０ミリ秒の周期性：ｂ２ｂ１
４０ミリ秒の周期性：ｂ３ｂ２
８０ミリ秒の周期性：ｂ４ｂ３
１６０ミリ秒の周期性：ｂ５ｂ４。
いくつかのケースでは、ＵＥが曖昧さなしにタイミングを取得することを可能にするために、バーストセット周期性（３ビット）も、同様にＰＢＣＨコンテンツにおいて伝達され得る。
【０１０２】
[0117]第３の代替（Ａｌｔ  ３）の場合、ＤＭＲＳおよびＰＢＣＨスクランブリングは、ある特定のしきい値より下（ below a certain threshold）の周期性（例えば、＜＝２０ミリ秒）では、同じタイミング情報（例えば、ｂ２ｂ１）を伝達し、以下のように、より大きい周期性では、異なるタイミング情報を伝達し得る：
４０ミリ秒の周期性：ｂ３ｂ２
８０ミリ秒の周期性：ｂ４ｂ３
１６０ミリ秒の周期性：ｂ５ｂ４。
このアプローチは、ある特定の利点を有し得る。例えば、このアプローチを使用すると、（１）ＤＭＲＳおよびＰＢＣＨスクランブリングランダム化が、しきい値より下（＜＝２０ミリ秒）の全ての同期バースト周期性のために達成され得、および（２）複数のバーストセットにわたって組み合わせるときに、ＰＢＣＨブラインド復号の必要がなくなり得る。
【０１０３】
[0118]本明細書で開示された方法は、説明された方法を達成するための１つまたは複数のステップまたはアクションを備える。方法のステップおよび／またはアクションは、特許請求の範囲から逸脱することなく互いに置き換えられ得る。換言すれば、ステップまたはアクションの特定の順序が明記されない限り、特定のステップおよび／またはアクションの順序および／または使用は、特許請求の範囲から逸脱することなく修正され得る。
【０１０４】
[0119]本明細書で使用される場合、列挙されたアイテム「のうちの少なくとも１つ」を指す表現は、単一のメンバ（members）を含む、それらのアイテムの任意の組合せを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素を有する任意の組合せ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃのその他任意の順序付け）をカバーするように意図される。
【０１０５】
[0120]本明細書で使用される場合、「決定すること」という用語は、幅広いアクションを包含する。例えば、「決定すること」は、計算すること（calculating）、コンピューティングすること（computing）、処理すること、導出すること、調査すること、ルックアップすること（例えば、表、データベース、または別のデータ構造においてルックアップすること）、確定すること、および同様のことを含み得る。また、「決定すること」は、受信すること（例えば、情報を受信すること）、アクセスすること（例えば、メモリにおけるデータにアクセスすること）、および同様のことを含み得る。また、「決定すること」は、解決すること、選択すること、選ぶこと、確立すること、および同様のことを含み得る。
【０１０６】
[0121]先の説明は、いかなる当業者であっても、本明細書で説明された様々な態様を実施することを可能にするように提供された。これらの態様への様々な修正は、当業者には容易に明らかとなり、本明細書で定義された一般原理は、他の態様に適用され得る。したがって、特許請求の範囲は、本明細書に示された態様に限定されるようには意図されず、特許請求の範囲の文言と一致する全範囲が与えられるものとし、ここで、単数形の要素への参照は、そのように明記されていない限り、「１つおよび１つのみ」を意味するようには意図されず、「１つまたは複数」を意味するように意図される。別段に明記されていない限り、「いくつかの（some）」という用語は、１つまたは複数を指す。当業者に知られているか、または後に知られることとなる、本開示全体にわたって説明された様々な態様の要素に対する全ての構造的および機能的な同等物は、参照によって本明細書に明確に組み込まれ、特許請求の範囲によって包含されるように意図される。さらに、本明細書で開示されたものはいずれも、そのような開示が特許請求の範囲において明記されているかどうかにかかわらず、公衆に放棄されるようには意図されない。いずれの請求項の要素も、その要素が「〜のための手段（means for）」という表現を使用して明確に記載されていない限り、または、方法の請求項のケースでは、その要素が「〜のためのステップ（step for）」という表現を使用して記載されていない限り、米国特許法第１１２条第６パラグラフの規定のもとで解釈されるべきではない。
【０１０７】
[0122]上記で説明された方法の様々な動作は、対応する機能を実行することが可能な任意の好適な手段によって実行され得る。手段は、それに限定されるものではないが、回路、特定用途向け集積回路（ＡＳＩＣ）、またはプロセッサを含む、様々なハードウェアおよび／またはソフトウェアの（１つまたは複数の）構成要素および／または（１つまたは複数の）モジュールを含み得る。一般に、図中に例示された動作がある場合、これらの動作は、同様の番号付けを有する、対応する対をなすミーンズプラスファンクションの構成要素を有し得る。
【０１０８】
[0123]例えば、送信するための手段および／または受信するための手段は、基地局１１０の送信プロセッサ４２０、ＴＸ  ＭＩＭＯプロセッサ４３０、受信プロセッサ４３８、または（１つまたは複数の）アンテナ４３４、および／または、ユーザ機器１２０の送信プロセッサ４６４、ＴＸ  ＭＩＭＯプロセッサ４６６、受信プロセッサ４５８、または（１つまたは複数の）アンテナ４５２のうちの１つまたは複数を備え得る。加えて、生成するための手段、多重化するための手段、復号するための手段（復号器）、および／または適用するための手段は、基地局１１０のコントローラ／プロセッサ４４０および／またはユーザ機器１２０のコントローラ／プロセッサ４８０などの、１つまたは複数のプロセッサを備え得る。
【０１０９】
[0124]本開示に関連して説明された、様々な例示的な論理ブロック、モジュールおよび回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタロジック、個別ハードウェア構成要素、あるいは本明細書で説明された機能を実行するように設計されたこれらの任意の組合せを用いてインプリメントまたは実行され得る。汎用プロセッサは、マイクロプロセッサであり得るが、代替として、このプロセッサは、任意の市販のプロセッサ、コントローラ、マイクロコントローラまたはステートマシンであり得る。プロセッサはまた、コンピューティングデバイスの組合せ、例えば、ＤＳＰとマイクロプロセッサの組合せ、複数のマイクロプロセッサ、ＤＳＰコアと連携した１つまたは複数のマイクロプロセッサ、あるいはその他任意のこのような構成としてインプリメントされ得る。
【０１１０】
[0125]ハードウェアでインプリメントされる場合、例となるハードウェア構成は、ワイヤレスノードにおける処理システムを備え得る。処理システムは、バスアーキテクチャを用いてインプリメントされ得る。バスは、処理システムの特定のアプリケーションおよび全体的な設計制約に依存して、任意の数の相互接続バスおよびブリッジを含み得る。バスは、プロセッサ、機械可読媒体、およびバスインターフェースを含む様々な回路を共にリンクし得る。バスインターフェースは、特に、バスを介してネットワークアダプタを処理システムに接続するために使用され得る。ネットワークアダプタは、ＰＨＹレイヤの信号処理機能をインプリメントするために使用され得る。ユーザ端末１２０（図１を参照）のケースでは、ユーザインターフェース（例えば、キーパッド、ディスプレイ、マウス、ジョイスティック、等）がまた、バスに接続され得る。バスはまた、タイミングソース、周辺機器、電圧レギュレータ、電力管理回路、および同様のものなどの、様々な他の回路をリンクし得、これらは、当該技術分野において周知であり、したがって、これ以上は説明されない。プロセッサは、１つまたは複数の汎用および／または専用プロセッサを用いてインプリメントされ得る。例は、マイクロプロセッサ、マイクロコントローラ、ＤＳＰプロセッサ、およびソフトウェアを実行し得るその他の回路を含む。当業者であれば、特定のアプリケーションおよびシステム全体に課せられる全体的な設計制約に依存して、処理システムに関して説明された機能をインプリメントするのに最良の方法を認識するであろう。
【０１１１】
[0126]ソフトウェアでインプリメントされる場合、これら機能は、コンピュータ可読媒体上で、１つまたは複数の命令またはコードとして送信または記憶され得る。ソフトウェアは、ソフトウェア、ファームウェア、ミドルウェア、マイクロコード、ハードウェア記述言語、またはその他の方法で呼ばれるかにかかわらず、命令、データ、またはこれらの任意の組合せを意味するように広く解釈されるべきである。コンピュータ可読媒体は、１つの場所から別の場所へのコンピュータプログラムの転送を容易にする任意の媒体を含む通信媒体とコンピュータ記憶媒体との両方を含む。プロセッサは、バスの管理と、機械可読記憶媒体上に記憶されたソフトウェアモジュールの実行を含む汎用処理とを担い得る。コンピュータ可読記憶媒体は、プロセッサが記憶媒体から情報を読み取り、記憶媒体に情報を書き込むことができるように、プロセッサに結合され得る。代替として、記憶媒体は、プロセッサと一体化され得る。例として、機械可読媒体は、伝送路（transmission line）、データによって変調された搬送波、および／またはワイヤレスノードとは別個の命令が記憶されたコンピュータ可読記憶媒体を含み得、これら全ては、バスインターフェースを通じてプロセッサによってアクセスされ得る。代替または追加として、機械可読媒体、またはその任意の部分は、キャッシュおよび／または汎用レジスタファイルでのケースでそうであり得るように、プロセッサに一体化され得る。機械可読記憶媒体の例は、例として、ＲＡＭ（ランダムアクセスメモリ）、フラッシュメモリ、ＲＯＭ（読取専用メモリ）、ＰＲＯＭ（プログラマブル読取専用メモリ）、ＥＰＲＯＭ（消去可能なプログラマブル読取専用メモリ）、ＥＥＰＲＯＭ（登録商標）（電気的に消去可能なプログラマブル読取専用メモリ）、レジスタ、磁気ディスク、光ディスク、ハードドライブ、またはその他任意の好適な記憶媒体、あるいはこれらの任意の組合せを含み得る。機械可読媒体は、コンピュータプログラム製品において具現化され得る。
【０１１２】
[0127]ソフトウェアモジュールは、単一の命令、または多くの命令を備え得、いくつかの異なるコードセグメントにわたって、異なるプログラム間で、および複数の記憶媒体にわたって、分散され得る。コンピュータ可読媒体は、いくつかのソフトウェアモジュールを備え得る。ソフトウェアモジュールは、プロセッサなどの装置によって実行されると、処理システムに様々な機能を実行させる命令を含む。ソフトウェアモジュールは、送信モジュールと受信モジュールとを含み得る。各ソフトウェアモジュールは、単一の記憶デバイス内に存在し得るか、または複数の記憶デバイスにわたって分散され得る。例として、ソフトウェアモジュールは、トリガリングイベントが発生したときに、ハードドライブからＲＡＭにロードされ得る。ソフトウェアモジュールの実行中、プロセッサは、アクセス速度を増大させるために、命令のうちのいくつかをキャッシュにロードし得る。その後、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行するとき、プロセッサによってインプリメントされることが理解されるであろう。
【０１１３】
[0128]また、任意の接続が、厳密にはコンピュータ可読媒体と称される。例えば、ソフトウェアが、同軸ケーブル、光ファイバーケーブル、ツイストペア、デジタル加入者回線（ＤＳＬ）、または赤外線（ＩＲ）、無線、およびマイクロ波のようなワイヤレス技術を使用して、ウェブサイト、サーバ、または他の遠隔ソースから送信される場合には、同軸ケーブル、光ファイバーケーブル、ツイストペア、ＤＳＬ、または赤外線、無線、およびマイクロ波のようなワイヤレス技術は、媒体の定義に含まれる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスク、およびブルーレイ（登録商標）ディスクを含み、ここでディスク（disks）は、通常磁気的にデータを再生し、一方ディスク（discs）は、レーザーを用いて光学的にデータを再生する。したがって、いくつかの態様では、コンピュータ可読媒体は、非一時的なコンピュータ可読媒体（例えば、有形媒体）を備え得る。コンピュータ可読媒体という表現は、一時的な伝搬信号を指すものではない。上記の組合せもまた、コンピュータ可読媒体の範囲内に含まれるべきである。
【０１１４】
[0129]したがって、ある特定の態様は、本明細書で提示された動作を実行するためのコンピュータプログラム製品を備え得る。例えば、このようなコンピュータプログラム製品は、その上に命令が記憶された（および／または符号化された）コンピュータ可読媒体を備え得、命令は、本明細書で説明された動作を実行するために１つまたは複数のプロセッサによって実行可能である。
【０１１５】
[0130]さらに、本明細書で説明された方法および技法を実行するためのモジュールおよび／または他の好適な手段は、適宜、ユーザ端末および／または基地局によって、ダウンロードおよび／または別の方法で取得され得ることを理解されたい。例えば、このようなデバイスは、本明細書で説明された方法を実行するための手段の転送を容易にするためにサーバに結合され得る。代替として、本明細書で説明された様々な方法は、ユーザ端末および／または基地局が、デバイスに記憶手段を結合または提供する際に、様々な方法を取得し得るように、記憶手段（例えば、ＲＡＭ、ＲＯＭ、コンパクトディスク（ＣＤ）またはフロッピーディスクなどの物理記憶媒体、等）を介して提供され得る。さらに、本明細書で説明された方法および技法をデバイスに提供するためのその他任意の好適な技法が利用され得る。
【０１１６】
[0131]特許請求の範囲は、上記に例示された厳密な構成および構成要素に限定されないことが理解されるべきである。様々な修正、変更、および変形が、特許請求の範囲から逸脱することなく、上記で説明された方法および装置の配置、動作および詳細において行われ得る。
【図１】
2020519119.tif 000003
【図２】
2020519119.tif 000004
【図３】
2020519119.tif 000005
【図４】
2020519119.tif 000006
【図５】
2020519119.tif 000007
【図６】
2020519119.tif 000008
【図６Ａ】
2020519119.tif 000009
【図７】
2020519119.tif 000010
【図８】
2020519119.tif 000011
【図９】
2020519119.tif 000012
【図１０】
2020519119.tif 000013
【図１１】
2020519119.tif 000014
【図１２】
2020519119.tif 000015
【図１３】
2020519119.tif 000016
【図１４】
2020519119.tif 000017
【図１５】
2020519119.tif 000018
【国際調査報告】
2020519119.tif 000019
2020519119.tif 000020
2020519119.tif 000021